(57)【要約】  本開示は、制御方法、装置、ＳＭＦ、ＵＰＦ、ＵＥ、ＰＣＦおよびＡＮを提供し、通信分野に係り、ネットワークで非構造化パケットのサービス品質制御ができないという従来技術の問題を解決する。当該制御方法において、非構造化データ伝送に利用されるセッションをユーザ機器ＵＥに対し確立する際に、前記セッションのサービス品質に関する指示情報を特定することと、前記指示情報を目標ノードに送信して、前記目標ノードによって前記指示情報に基づいて前記セッションに対応するサービス品質を特定することとを含む。本開示の技術手段における目標ノードは、ＳＭＦから送信された指示情報に基づいて、非構造化データ伝送に利用されるセッションのサービス品質を特定することができる。よって、ネットワークで非構造化パケットのサービス品質制御が実現され、非構造化データ伝送のサービス品質が保証され、ネットワーク性能が向上する。【選択図】  図１
2020511083.tif 000002
【特許請求の範囲】
【請求項１】
ＳＭＦ（Ｓｅｓｓｉｏｎ  Ｍａｎａｇｅｍｅｎｔ  Ｆｕｎｃｔｉｏｎ）に応用されるサービス品質制御方法において、
非構造化データ伝送に利用されるセッションをユーザ機器ＵＥに対し確立する際に、前記セッションのサービス品質に関する指示情報を特定することと、
前記指示情報を目標ノードに送信して、前記目標ノードによって、前記指示情報に基づいて前記セッションに対応するサービス品質を特定することと、
を含むサービス品質制御方法。
【請求項２】
前記指示情報を目標ノードに送信して、前記目標ノードによって、前記指示情報に基づいて前記セッションに対応するサービス品質を特定することは、
前記指示情報をＵＰＦ（Ｕｓｅｒ  Ｐｌａｎｅ  Ｆｕｎｃｔｉｏｎ）に送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加すること、
および／または、
前記指示情報を前記ＵＥに送信し、前記ＵＥによって、前記セッションのアップリンクデータに対応するサービス品質ＩＤを前記指示情報に基づいて特定すること、
を含む請求項１に記載の方法。
【請求項３】
非構造化データ伝送に利用されるセッションをユーザ機器ＵＥに対し確立する際に、前記セッションのサービス品質に関する指示情報を特定することは、
非構造化データ伝送に利用されるセッションをＵＥに対し確立する際に、前記セッションに対し、対応する第１サービス品質ＩＤを割り当てることを含み、
前記指示情報をＵＰＦに送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加することは、
前記第１サービス品質ＩＤをＵＰＦに送信し、前記ＵＰＦによって、前記第１サービス品質ＩＤを前記セッションのダウンリンクデータに対応するサービス品質ＩＤとし、前記第１サービス品質ＩＤを前記セッションのダウンリンクパケットのヘッダに前記ＵＰＦによって追加することを含み、
前記指示情報を前記ＵＥに送信し、前記ＵＥによって、前記セッションのアップリンクデータに対応するサービス品質ＩＤを前記指示情報に基づいて特定することは、
前記第１サービス品質ＩＤを前記ＵＥに送信し、前記ＵＥによって、前記第１サービス品質ＩＤを前記セッションのアップリンクデータに対応するサービス品質ＩＤとすることを含む請求項２に記載の方法。
【請求項４】
非構造化データ伝送に利用されるセッションをユーザ機器ＵＥに対し確立する際に、前記セッションのサービス品質に関する指示情報を特定することは、
非構造化データ伝送に利用されるセッションをＵＥに対し確立する際に、非構造化データ伝送への前記セッションの利用を指示するセッションタイプ指示情報を取得することを含み、
前記指示情報をＵＰＦに送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加することは、
前記セッションタイプ指示情報をＵＰＦに送信し、前記ＵＰＦによって、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのダウンリンクデータに対応するサービス品質ＩＤとし、前記セッションのダウンリンクパケットのヘッダに前記第２サービス品質ＩＤを前記ＵＰＦによって追加することを含み、
前記指示情報を前記ＵＥに送信し、前記ＵＥによって、前記セッションのアップリンクデータに対応するサービス品質ＩＤを前記指示情報に基づいて特定することは、
前記セッションタイプ指示情報を前記ＵＥに送信し、前記ＵＥによって、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのアップリンクデータに対応するサービス品質ＩＤとすることを含む請求項２に記載の方法。
【請求項５】
非構造化データ伝送に利用されるセッションをユーザ機器ＵＥに対し確立する際に、前記セッションのサービス品質に関する指示情報を特定することは、
非構造化データ伝送に利用されるセッションをＵＥに対し確立する際に、非構造化データ伝送への前記セッションの利用を指示するセッションタイプ指示情報が付帯され、前記セッションに関するサービス品質ポリシー要求メッセージをＰＣＦ（Ｐｏｌｉｃｙ  Ｃｏｎｔｒｏｌ  Ｆｕｎｃｔｉｏｎ）に送信することと、
完全一致ワイルドカードのストリームフィルタおよび前記セッションに対応する第３サービス品質ＩＤが含まれ、前記ＰＣＦから前記サービス品質ポリシー要求メッセージに基づいて返信された前記セッションに関するサービス品質ポリシーを取得することと、を含み、
前記指示情報をＵＰＦに送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加することは、
前記サービス品質ポリシーをＵＰＦに送信し、前記ＵＰＦによって、前記サービス品質ポリシーに基づいて前記セッションのダウンリンクデータに対応するサービス品質ＩＤを特定し、前記サービス品質ＩＤを前記セッションのダウンリンクパケットのヘッダに前記ＵＰＦによって追加することを含み、
前記指示情報を前記ＵＥに送信し、前記ＵＥによって、前記セッションのアップリンクデータに対応するサービス品質ＩＤを前記指示情報に基づいて特定することは、
前記サービス品質ポリシーを前記ＵＥに送信し、前記ＵＥによって、前記サービス品質ポリシーに基づいて前記セッションのアップリンクデータに対応するサービス品質ＩＤを特定することを含む請求項２に記載の方法。
【請求項６】
前記指示情報を目標ノードに送信して、前記目標ノードによって、前記指示情報に基づいて前記セッションに対応するサービス品質を特定することは、
前記指示情報をＵＰＦとＡＮ（Ａｃｃｅｓｓ  Ｎｅｔｗｏｒｋ）に送信し、前記ＵＰＦによって、前記指示情報に基づいて前記セッションのダウンリンクデータを直接前記ＡＮに送信し、前記ＡＮによって、前記指示情報に基づいて前記セッションのダウンリンクデータに対応するサービス品質を特定すること、
および／または、
前記指示情報を前記ＵＥに送信し、前記ＵＥによって、前記指示情報に基づいて前記セッションのアップリンクデータに対応するサービス品質を特定すること、
を含む請求項１に記載の方法。
【請求項７】
非構造化データ伝送に利用されるセッションをユーザ機器ＵＥに対し確立する際に、前記セッションのサービス品質に関する指示情報を特定することは、
非構造化データ伝送に利用されるセッションをＵＥに対し確立する際に、非構造化データ伝送への前記セッションの利用を指示するセッションタイプ指示情報を取得することを含み、
前記指示情報をＵＰＦとＡＮに送信し、前記ＵＰＦによって、前記指示情報に基づいて前記セッションのダウンリンクデータを直接前記ＡＮに送信し、前記ＡＮによって、前記指示情報に基づいて前記セッションのダウンリンクデータに対応するサービス品質を特定することは、
前記セッションタイプ指示情報をＵＰＦとＡＮに送信し、前記ＵＰＦによって、前記セッションタイプ指示情報に基づいて、前記セッションのダウンリンクデータを直接前記ＡＮに送信し、前記ＡＮによって、前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定することを含み、
前記指示情報を前記ＵＥに送信し、前記ＵＥによって、前記指示情報に基づいて前記セッションのアップリンクデータに対応するサービス品質を特定することは、
前記セッションタイプ指示情報を前記ＵＥに送信し、前記ＵＥによって、前記セッションタイプ指示情報および所定の非構造化データ伝送に利用されるセッションのタイプに対応するサービス品質のラジオベアラに基づいて前記セッションのアップリンクデータに対応するサービス品質のラジオベアラを特定することを含む請求項６に記載の方法。
【請求項８】
前記サービス品質ＩＤは、
サービス品質データストリームＩＤおよびサービス品質等級ＩＤのうちの少なくとも一つである請求項２〜５のいずれか一項に記載の方法。
【請求項９】
ＳＭＦに応用されるサービス品質制御装置において、
非構造化データ伝送に利用されるセッションをユーザ機器ＵＥに対し確立する際に、前記セッションのサービス品質に関する指示情報を特定する第１特定モジュールと、
前記指示情報を目標ノードに送信して、前記目標ノードによって、前記指示情報に基づいて前記セッションに対応するサービス品質を特定する第１送信モジュールと、
を含むサービス品質制御装置。
【請求項１０】
前記第１送信モジュールは、
前記指示情報をＵＰＦに送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加する第１送信サブモジュール、
および／または、
前記指示情報を前記ＵＥに送信し、前記ＵＥによって、前記セッションのアップリンクデータに対応するサービス品質ＩＤを前記指示情報に基づいて特定する第２送信サブモジュール、
を含む請求項９に記載の装置。
【請求項１１】
前記第１特定モジュールは、
非構造化データ伝送に利用されるセッションをＵＥに対し確立する際に、前記セッションに対し、対応する第１サービス品質ＩＤを割り当てる割当サブモジュールを含み、
前記第１送信サブモジュールは、
前記第１サービス品質ＩＤをＵＰＦに送信し、前記ＵＰＦによって、前記第１サービス品質ＩＤを前記セッションのダウンリンクデータに対応するサービス品質ＩＤとし、前記第１サービス品質ＩＤを前記セッションのダウンリンクパケットのヘッダに前記ＵＰＦによって追加する第１送信ユニットを含み、
前記第２送信サブモジュールは、
前記第１サービス品質ＩＤを前記ＵＥに送信し、前記ＵＥによって、前記第１サービス品質ＩＤを前記セッションのアップリンクデータに対応するサービス品質ＩＤとする第２送信ユニットを含む請求項１０に記載の装置。
【請求項１２】
前記第１特定モジュールは、
非構造化データ伝送に利用されるセッションをＵＥに対し確立する際に、非構造化データ伝送への前記セッションの利用を指示するセッションタイプ指示情報を取得する第１取得サブモジュールを含み、
前記第１送信サブモジュールは、
前記セッションタイプ指示情報をＵＰＦに送信し、前記ＵＰＦによって、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのダウンリンクデータに対応するサービス品質ＩＤとし、前記セッションのダウンリンクパケットのヘッダに前記第２サービス品質ＩＤを前記ＵＰＦによって追加する第３送信ユニットを含み、
前記第２送信サブモジュールは、
前記セッションタイプ指示情報を前記ＵＥに送信し、前記ＵＥによって、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのアップリンクデータに対応するサービス品質ＩＤとする第４送信ユニットを含む請求項１０に記載の装置。
【請求項１３】
前記第１特定モジュールは、
非構造化データ伝送に利用されるセッションをＵＥに対し確立する際に、非構造化データ伝送への前記セッションの利用を指示するセッションタイプ指示情報が付帯され、前記セッションに関するサービス品質ポリシー要求メッセージをＰＣＦに送信する第３送信サブモジュールと、
完全一致ワイルドカードのストリームフィルタおよび前記セッションに対応する第３サービス品質ＩＤが含まれ、前記ＰＣＦから前記サービス品質ポリシー要求メッセージに基づいて返信された前記セッションに関するサービス品質ポリシーを取得する第２取得サブモジュールと、を含み、
前記第１送信サブモジュールは、
前記サービス品質ポリシーをＵＰＦに送信し、前記ＵＰＦによって、前記サービス品質ポリシーに基づいて前記セッションのダウンリンクデータに対応するサービス品質ＩＤを特定し、前記サービス品質ＩＤを前記セッションのダウンリンクパケットのヘッダに前記ＵＰＦによって追加する第５送信ユニットを含み、
前記第２送信サブモジュールは、
前記サービス品質ポリシーを前記ＵＥに送信し、前記ＵＥによって、前記サービス品質ポリシーに基づいて前記セッションのアップリンクデータに対応するサービス品質ＩＤを特定する第６送信ユニットを含む請求項１０に記載の装置。
【請求項１４】
前記第１送信モジュールは、
前記指示情報をＵＰＦとＡＮに送信し、前記ＵＰＦによって、前記指示情報に基づいて前記セッションのダウンリンクデータを直接前記ＡＮに送信し、前記ＡＮによって、前記指示情報に基づいて前記セッションのダウンリンクデータに対応するサービス品質を特定する第４送信サブモジュール、
および／または、
前記指示情報を前記ＵＥに送信し、前記ＵＥによって、前記指示情報に基づいて前記セッションのアップリンクデータに対応するサービス品質を特定する第５送信サブモジュールを含む請求項９に記載の装置。
【請求項１５】
前記第１特定モジュールは、
非構造化データ伝送に利用されるセッションをＵＥに対し確立する際に、非構造化データ伝送への前記セッションの利用を指示するセッションタイプ指示情報を取得する第３取得サブモジュールを含み、
前記第４送信サブモジュールは、
前記セッションタイプ指示情報をＵＰＦとＡＮに送信し、前記ＵＰＦによって、前記セッションタイプ指示情報に基づいて、前記セッションのダウンリンクデータを直接前記ＡＮに送信し、前記ＡＮによって、前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定する第７送信ユニットを含み、
前記第５送信サブモジュールは、
前記セッションタイプ指示情報を前記ＵＥに送信し、前記ＵＥによって、前記セッションタイプ指示情報および所定の非構造化データ伝送に利用されるセッションのタイプに対応するサービス品質のラジオベアラに基づいて前記セッションのアップリンクデータに対応するサービス品質のラジオベアラを特定する第８送信ユニットを含む請求項１４に記載の装置。
【請求項１６】
前記サービス品質ＩＤは、
サービス品質データストリームＩＤおよびサービス品質等級ＩＤのうちの少なくとも一つである請求項１０〜１３のいずれか一項に記載の装置。
【請求項１７】
第１メモリと、第１プロセッサと、および第１メモリに記憶されて第１プロセッサで実行可能なコンピュータプログラムとを含むＳＭＦにおいて、
前記コンピュータプログラムが前記第１プロセッサによって実行されると、請求項１〜８のいずれか一項に記載のサービス品質制御方法のステップが実現されるＳＭＦ。
【請求項１８】
コンピュータプログラムが記憶されているコンピュータ読み取り可能な記憶媒体であって、
前記コンピュータプログラムがプロセッサによって実行されると、請求項１〜８のいずれか一項に記載のサービス品質制御方法のステップが実現されるコンピュータ読み取り可能な記憶媒体。
【請求項１９】
ＵＰＦに応用されるサービス品質制御方法において、
ＳＭＦから非構造化データ伝送に利用されるセッションをユーザ機器ＵＥに対し確立する際に送信され、前記セッションのサービス品質に関する指示情報を受信することと、
前記指示情報に基づいて、前記セッションのダウンリンクデータに対応するサービス品質を特定することと、
を含むサービス品質制御方法。
【請求項２０】
前記指示情報に基づいて、前記セッションのダウンリンクデータに対応するサービス品質を特定することは、
前記指示情報に基づいて、前記セッションのダウンリンクデータに対応するサービス品質ＩＤを特定し、前記セッションのダウンリンクパケットのヘッダに前記サービス品質ＩＤを追加することを含む請求項１９に記載の方法。
【請求項２１】
ＳＭＦから非構造化データ伝送に利用されるセッションをユーザ機器ＵＥに対し確立する際に送信され、前記セッションのサービス品質に関する指示情報を受信することは、
前記ＳＭＦから非構造化データ伝送に利用されるセッションをＵＥに対し確立する際に前記セッションに割り当てられたサービス品質ＩＤである第１サービス品質ＩＤを、前記ＳＭＦから受信することを含み、
前記指示情報に基づいて、前記セッションのダウンリンクデータに対応するサービス品質ＩＤを特定し、前記セッションのダウンリンクパケットのヘッダに前記サービス品質ＩＤを追加することは、
前記第１サービス品質ＩＤを、前記セッションのダウンリンクデータに対応するサービス品質ＩＤとし、前記セッションのダウンリンクパケットのヘッダに前記第１サービス品質ＩＤを追加することを含み、
または、
ＳＭＦから非構造化データ伝送に利用されるセッションをユーザ機器ＵＥに対し確立する際に送信され、前記セッションのサービス品質に関する指示情報を受信することは、
非構造化データ伝送への前記セッションの利用を指示するセッションタイプ指示情報を、前記ＳＭＦから受信することを含み、
前記指示情報に基づいて、前記セッションのダウンリンクデータに対応するサービス品質ＩＤを特定し、前記セッションのダウンリンクパケットのヘッダに前記サービス品質ＩＤを追加することは、
前記セッションタイプ指示情報および所定の非構造化データ伝送に利用されるセッションのタイプに対応するサービス品質ＩＤに基づいて、前記セッションに対応する第２サービス品質ＩＤを取得することと、
前記第２サービス品質ＩＤを前記セッションのダウンリンクデータに対応するサービス品質ＩＤとし、前記セッションのダウンリンクパケットのヘッダに前記第２サービス品質ＩＤを追加することと、を含み、
または、
ＳＭＦから非構造化データ伝送に利用されるセッションをユーザ機器ＵＥに対し確立する際に送信され、前記セッションのサービス品質に関する指示情報を受信することは、
完全一致ワイルドカードのストリームフィルタおよび前記セッションに対応する第３サービス品質ＩＤが含まれるサービス品質ポリシーを前記ＳＭＦから受信することを含み、
ここで、前記サービス品質ポリシーは、
前記ＳＭＦから非構造化データ伝送に利用されるセッションをＵＥに対し確立する際に、前記セッションに関するサービス品質ポリシー要求メッセージをＰＣＦに送信した後に取得され、前記ＰＣＦから前記サービス品質ポリシー要求メッセージに基づいて返信された前記セッションに対応するサービス品質ポリシーであり、
前記サービス品質ポリシー要求メッセージには、非構造化データ伝送への前記セッションの利用を指示するセッションタイプ指示情報が付帯され、
前記指示情報に基づいて、前記セッションのダウンリンクデータに対応するサービス品質ＩＤを特定し、前記セッションのダウンリンクパケットのヘッダに前記サービス品質ＩＤを追加することは、
前記サービス品質ポリシーに基づいて前記セッションのダウンリンクデータに対応するサービス品質ＩＤを特定し、前記ＵＰＦによって前記サービス品質ＩＤを前記セッションのダウンリンクパケットのヘッダに追加することを含む請求項２０に記載の方法。
【請求項２２】
前記指示情報に基づいて、前記セッションのダウンリンクデータに対応するサービス品質を特定することは、
前記指示情報に基づいて前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記指示情報に基づいて、前記セッションのダウンリンクデータに対応するサービス品質を特定することを含む請求項１９に記載の方法。
【請求項２３】
ＳＭＦから非構造化データ伝送に利用されるセッションをユーザ機器ＵＥに対し確立する際に送信され、前記セッションのサービス品質に関する指示情報を受信することは、
非構造化データ伝送への前記セッションの利用を指示するセッションタイプ指示情報を前記ＳＭＦから受信することを含み、
前記指示情報に基づいて前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記指示情報に基づいて前記セッションのダウンリンクデータに対応するサービス品質を特定することは、
前記セッションタイプ指示情報に基づいて、前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記セッションタイプ指示情報および所定の非構造化データ伝送に利用されるセッションのタイプに対応するサービス品質のラジオベアラに基づいて、前記セッションのダウンリンクデータに対応するサービス品質のラジオベアラを特定することを含む請求項２２に記載の方法。
【請求項２４】
ＵＰＦに応用されるサービス品質制御装置において、
ＳＭＦから非構造化データ伝送に利用されるセッションをユーザ機器ＵＥに対し確立する際に送信され、前記セッションのサービス品質に関する指示情報を受信する第１受信モジュールと、
前記指示情報に基づいて、前記セッションのダウンリンクデータに対応するサービス品質を特定する第２特定モジュールと、
を含むサービス品質制御装置。
【請求項２５】
前記第２特定モジュールは、
前記指示情報に基づいて、前記セッションのダウンリンクデータに対応するサービス品質ＩＤを特定し、前記セッションのダウンリンクパケットのヘッダに前記サービス品質ＩＤを追加する第１特定サブモジュールを含む請求項２４に記載の装置。
【請求項２６】
前記第１受信モジュールは、
前記ＳＭＦから非構造化データ伝送に利用されるセッションをＵＥに対し確立する際に前記セッションに割り当てられたサービス品質ＩＤである第１サービス品質ＩＤを、前記ＳＭＦから受信する第１受信サブモジュールを含み、
前記第１特定サブモジュールは、
前記第１サービス品質ＩＤを、前記セッションのダウンリンクデータに対応するサービス品質ＩＤとし、前記セッションのダウンリンクパケットのヘッダに前記第１サービス品質ＩＤを追加する第１特定ユニットを含み、
または、
前記第１受信モジュールは、
非構造化データ伝送への前記セッションの利用を指示するセッションタイプ指示情報を、前記ＳＭＦから受信する第２受信サブモジュールを含み、
前記第１特定サブモジュールは、
前記セッションタイプ指示情報および所定の非構造化データ伝送に利用されるセッションのタイプに対応するサービス品質ＩＤに基づいて、前記セッションに対応する第２サービス品質ＩＤを取得する第１取得ユニットと、
前記第２サービス品質ＩＤを前記セッションのダウンリンクデータに対応するサービス品質ＩＤとし、前記セッションのダウンリンクパケットのヘッダに前記第２サービス品質ＩＤを追加する第２特定ユニットと、を含み、
または、
前記第１受信モジュールは、
完全一致ワイルドカードのストリームフィルタおよび前記セッションに対応する第３サービス品質ＩＤが含まれるサービス品質ポリシーを前記ＳＭＦから受信する第３受信サブモジュールを含み、
ここで、前記サービス品質ポリシーは、
前記ＳＭＦから非構造化データ伝送に利用されるセッションをＵＥに対し確立する際に、前記セッションに関するサービス品質ポリシー要求メッセージをＰＣＦに送信した後に取得され、前記ＰＣＦから前記サービス品質ポリシー要求メッセージに基づいて返信された前記セッションに対応するサービス品質ポリシーであり、
前記サービス品質ポリシー要求メッセージには、非構造化データ伝送への前記セッションの利用を指示するセッションタイプ指示情報が付帯され、
前記第１特定サブモジュールは、
前記サービス品質ポリシーに基づいて前記セッションのダウンリンクデータに対応するサービス品質ＩＤを特定し、前記ＵＰＦによって前記サービス品質ＩＤを前記セッションのダウンリンクパケットのヘッダに追加する第３特定ユニットを含む請求項２５に記載の装置。
【請求項２７】
前記第２特定モジュールは、
前記指示情報に基づいて前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記指示情報に基づいて、前記セッションのダウンリンクデータに対応するサービス品質を特定する第６送信サブモジュールを含む請求項２４に記載の装置。
【請求項２８】
前記第１受信モジュールは、
非構造化データ伝送への前記セッションの利用を指示するセッションタイプ指示情報を前記ＳＭＦから受信する第４受信サブモジュールを含み、
前記第６送信サブモジュールは、
前記セッションタイプ指示情報に基づいて、前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記セッションタイプ指示情報および所定の非構造化データ伝送に利用されるセッションのタイプに対応するサービス品質のラジオベアラに基づいて、前記セッションのダウンリンクデータに対応するサービス品質のラジオベアラを特定する第９送信ユニットを含む請求項２７に記載の装置。
【請求項２９】
第２メモリと、第２プロセッサと、および第２メモリに記憶されて第２プロセッサで実行可能なコンピュータプログラムとを含むＵＰＦにおいて、
前記コンピュータプログラムが前記第２プロセッサによって実行されると、請求項１９〜２３のいずれか一項に記載のサービス品質制御方法のステップが実現されるＵＰＦ。
【請求項３０】
コンピュータプログラムが記憶されているコンピュータ読み取り可能な記憶媒体であって、
前記コンピュータプログラムがプロセッサによって実行されると、請求項１９〜２３のいずれか一項に記載のサービス品質制御方法のステップが実現されるコンピュータ読み取り可能な記憶媒体。
【請求項３１】
ＵＥに応用されるサービス品質制御方法において、
ＳＭＦから非構造化データ伝送に利用されるセッションをユーザ機器ＵＥに対し確立する際に送信され、前記セッションのサービス品質に関する指示情報を受信することと、
前記指示情報に基づいて、前記セッションのアップリンクデータに対応するサービス品質を特定することと、
を含むサービス品質制御方法。
【請求項３２】
ＳＭＦから非構造化データ伝送に利用されるセッションをユーザ機器ＵＥに対し確立する際に送信され、前記セッションのサービス品質に関する指示情報を受信することは、
前記ＳＭＦから非構造化データ伝送に利用されるセッションをＵＥに対し確立する際に前記セッションに割り当てられたサービス品質ＩＤである第１サービス品質ＩＤを、前記ＳＭＦから受信することを含み、
前記指示情報に基づいて、前記セッションのアップリンクデータに対応するサービス品質を特定することは、
前記第１サービス品質ＩＤを、前記セッションのアップリンクデータに対応するサービス品質ＩＤとすることを含み、
または、
ＳＭＦから非構造化データ伝送に利用されるセッションをユーザ機器ＵＥに対し確立する際に送信され、前記セッションのサービス品質に関する指示情報を受信することは、
非構造化データ伝送への前記セッションの利用を指示するセッションタイプ指示情報を、前記ＳＭＦから受信することを含み、
前記指示情報に基づいて、前記セッションのアップリンクデータに対応するサービス品質を特定することは、
前記セッションタイプ指示情報および所定の非構造化データ伝送に利用されるセッションのタイプに対応するサービス品質ＩＤに基づいて、前記セッションに対応する第２サービス品質ＩＤを取得することと、
前記第２サービス品質ＩＤを前記セッションのアップリンクデータに対応するサービス品質ＩＤとすることと、を含み、
または、
ＳＭＦから非構造化データ伝送に利用されるセッションをユーザ機器ＵＥに対し確立する際に送信され、前記セッションのサービス品質に関する指示情報を受信することは、
完全一致ワイルドカードのストリームフィルタおよび前記セッションに対応する第３サービス品質ＩＤが含まれるサービス品質ポリシーを前記ＳＭＦから受信することを含み、
ここで、前記サービス品質ポリシーは、
前記ＳＭＦから非構造化データ伝送に利用されるセッションをＵＥに対し確立する際に、前記セッションに関するサービス品質ポリシー要求メッセージをＰＣＦに送信した後に取得され、前記ＰＣＦから前記サービス品質ポリシー要求メッセージに基づいて返信された前記セッションに対応するサービス品質ポリシーであり、
前記サービス品質ポリシー要求メッセージには、非構造化データ伝送への前記セッションの利用を指示するセッションタイプ指示情報が付帯され、
前記指示情報に基づいて、前記セッションのアップリンクデータに対応するサービス品質を特定することは、
前記サービス品質ポリシーに基づいて前記セッションのアップリンクデータに対応するサービス品質ＩＤを特定することを含む請求項３０に記載の方法。
【請求項３３】
ＳＭＦから非構造化データ伝送に利用されるセッションをユーザ機器ＵＥに対し確立する際に送信され、前記セッションのサービス品質に関する指示情報を受信することは、
非構造化データ伝送への前記セッションの利用を指示するセッションタイプ指示情報を前記ＳＭＦから受信することを含み、
前記指示情報に基づいて、前記セッションのアップリンクデータに対応するサービス品質を特定することは、
前記セッションタイプ指示情報および所定の非構造化データ伝送に利用されるセッションのタイプに対応するサービス品質のラジオベアラに基づいて前記セッションのアップリンクデータに対応するサービス品質のラジオベアラを特定することを含む請求項３１に記載の方法。
【請求項３４】
ＵＥに応用されるサービス品質制御装置において、
ＳＭＦから非構造化データ伝送に利用されるセッションをユーザ機器ＵＥに対し確立する際に送信され、前記セッションのサービス品質に関する指示情報を受信する第２受信モジュールと、
前記指示情報に基づいて、前記セッションのアップリンクデータに対応するサービス品質を特定する第３特定モジュールと、
を含むサービス品質制御装置。
【請求項３５】
前記第２受信モジュールは、
前記ＳＭＦから非構造化データ伝送に利用されるセッションをＵＥに対し確立する際に前記セッションに割り当てられたサービス品質ＩＤである第１サービス品質ＩＤを、前記ＳＭＦから受信する第５受信サブモジュールを含み、
前記第３特定モジュールは、
前記第１サービス品質ＩＤを、前記セッションのアップリンクデータに対応するサービス品質ＩＤとする第２特定サブモジュールを含み、
または、
前記第２受信モジュールは、
非構造化データ伝送への前記セッションの利用を指示するセッションタイプ指示情報を、前記ＳＭＦから受信する第６受信サブモジュールを含み、
前記第３特定モジュールは、
前記セッションタイプ指示情報および所定の非構造化データ伝送に利用されるセッションのタイプに対応するサービス品質ＩＤに基づいて、前記セッションに対応する第２サービス品質ＩＤを取得第４取得サブモジュールと、
前記第２サービス品質ＩＤを前記セッションのアップリンクデータに対応するサービス品質ＩＤとする第３特定サブモジュールと、を含み、
または、
前記第２受信モジュールは、
完全一致ワイルドカードのストリームフィルタおよび前記セッションに対応する第３サービス品質ＩＤが含まれるサービス品質ポリシーを前記ＳＭＦから受信する第７受信サブモジュールを含み、
ここで、前記サービス品質ポリシーは、
前記ＳＭＦから非構造化データ伝送に利用されるセッションをＵＥに対し確立する際に、前記セッションに関するサービス品質ポリシー要求メッセージをＰＣＦに送信した後に取得され、前記ＰＣＦから前記サービス品質ポリシー要求メッセージに基づいて返信された前記セッションに対応するサービス品質ポリシーであり、
前記サービス品質ポリシー要求メッセージには、非構造化データ伝送への前記セッションの利用を指示するセッションタイプ指示情報が付帯され、
前記第３特定モジュールは、
前記サービス品質ポリシーに基づいて前記セッションのアップリンクデータに対応するサービス品質ＩＤを特定する第４特定サブモジュールを含む請求項３４に記載の装置。
【請求項３６】
前記第２受信モジュールは、
非構造化データ伝送への前記セッションの利用を指示するセッションタイプ指示情報を前記ＳＭＦから受信する第８受信サブモジュールを含み、
前記第３特定モジュールは、
前記セッションタイプ指示情報および所定の非構造化データ伝送に利用されるセッションのタイプに対応するサービス品質のラジオベアラに基づいて前記セッションのアップリンクデータに対応するサービス品質のラジオベアラを特定する第５特定サブモジュールを含む請求項３４に記載の装置。
【請求項３７】
第３メモリと、第３プロセッサと、および第３メモリに記憶されて第３プロセッサで実行可能なコンピュータプログラムとを含むＵＥにおいて、
前記コンピュータプログラムが前記第３プロセッサによって実行されると、請求項３１〜３３のいずれか一項に記載のサービス品質制御方法のステップが実現されるＵＥ。
【請求項３８】
コンピュータプログラムが記憶されているコンピュータ読み取り可能な記憶媒体であって、
前記コンピュータプログラムがプロセッサによって実行されると、請求項３１〜３３のいずれか一項に記載のサービス品質制御方法のステップが実現されるコンピュータ読み取り可能な記憶媒体。
【請求項３９】
ＰＣＦに応用されるサービス品質制御方法において、
ＳＭＦから非構造化データ伝送に利用されるセッションをユーザ機器ＵＥに対し確立する際に送信され、非構造化データ伝送への前記セッションの利用を指示するセッションタイプ指示情報が付帯され、前記セッションに関するサービス品質ポリシー要求メッセージを受信することと、
前記サービス品質ポリシー要求メッセージに基づいて、完全一致ワイルドカードのストリームフィルタおよび前記セッションに対応する第３サービス品質ＩＤが含まれ、前記セッションに対応するサービス品質ポリシーを特定することと、
前記セッションに対応するサービス品質ポリシーを前記ＳＭＦに返信することと、
を含むサービス品質制御方法。
【請求項４０】
ＰＣＦに応用されるサービス品質制御装置において、
ＳＭＦから非構造化データ伝送に利用されるセッションをユーザ機器ＵＥに対し確立する際に送信され、非構造化データ伝送への前記セッションの利用を指示するセッションタイプ指示情報が付帯され、前記セッションに関するサービス品質ポリシー要求メッセージを受信する第３受信モジュールと、
前記サービス品質ポリシー要求メッセージに基づいて、完全一致ワイルドカードのストリームフィルタおよび前記セッションに対応する第３サービス品質ＩＤが含まれ、前記セッションに対応するサービス品質ポリシーを特定する第４特定モジュールと、
前記セッションに対応するサービス品質ポリシーを前記ＳＭＦに返信する返信モジュールと、
を含むサービス品質制御装置。
【請求項４１】
第４メモリと、第４プロセッサと、および第４メモリに記憶されて第４プロセッサで実行可能なコンピュータプログラムとを含むＰＣＦにおいて、
前記コンピュータプログラムが前記第４プロセッサによって実行されると、請求項３６に記載のサービス品質制御方法のステップが実現されるＰＣＦ。
【請求項４２】
コンピュータプログラムが記憶されているコンピュータ読み取り可能な記憶媒体であって、
前記コンピュータプログラムがプロセッサによって実行されると、請求項３６に記載のサービス品質制御方法のステップが実現されるコンピュータ読み取り可能な記憶媒体。
【請求項４３】
ＡＮに応用されるサービス品質制御方法において、
ＳＭＦから非構造化データ伝送に利用されるセッションをユーザ機器ＵＥに対し確立する際に前記ＡＮに送信され、前記セッションのサービス品質に関する指示情報を受信することと、
前記ＳＭＦから非構造化データ伝送に利用されるセッションをＵＥに対し確立する際に前記ＵＰＦに送信された前記指示情報に基づいて、ＵＰＦから直接的に送信された前記セッションのダウンリンクデータを受信することと、
前記指示情報に基づいて前記セッションのダウンリンクデータに対応するサービス品質を特定することと、
を含むサービス品質制御方法。
【請求項４４】
ＳＭＦから非構造化データ伝送に利用されるセッションをユーザ機器ＵＥに対し確立する際に前記ＡＮに送信され、前記セッションのサービス品質に関する指示情報を受信することは、
前記ＡＮに送信され、非構造化データ伝送への前記セッションの利用を指示するセッションタイプ指示情報を前記ＳＭＦから受信することを含み、
前記指示情報に基づいて前記セッションのダウンリンクデータに対応するサービス品質を特定することは、
前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定することを含む請求項４３に記載の方法。
【請求項４５】
ＡＮに応用されるサービス品質制御装置において、
ＳＭＦから非構造化データ伝送に利用されるセッションをユーザ機器ＵＥに対し確立する際に前記ＡＮに送信され、前記セッションのサービス品質に関する指示情報を受信する第４受信モジュールと、
前記ＳＭＦから非構造化データ伝送に利用されるセッションをＵＥに対し確立する際に前記ＵＰＦに送信された前記指示情報に基づいて、ＵＰＦから直接的に送信された前記セッションのダウンリンクデータを受信する第５受信モジュールと、
前記指示情報に基づいて前記セッションのダウンリンクデータに対応するサービス品質を特定する第５特定モジュールと、
を含むサービス品質制御方法。
【請求項４６】
前記第４受信モジュールは、
前記ＡＮに送信され、非構造化データ伝送への前記セッションの利用を指示するセッションタイプ指示情報を前記ＳＭＦから受信する第９受信サブモジュールを含み、
前記第５特定モジュールは、
前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定する第６特定サブモジュールを含む請求項４５に記載の装置。
【請求項４７】
第５メモリと、第５プロセッサと、および第５メモリに記憶されて第５プロセッサで実行可能なコンピュータプログラムとを含むＡＮにおいて、
前記コンピュータプログラムが前記第５プロセッサによって実行されると、請求項４３または４４に記載のサービス品質制御方法のステップが実現されるＡＮ。
【請求項４８】
コンピュータプログラムが記憶されているコンピュータ読み取り可能な記憶媒体であって、
前記コンピュータプログラムがプロセッサによって実行されると、請求項４３または４４に記載のサービス品質制御方法のステップが実現されるコンピュータ読み取り可能な記憶媒体。
【発明の詳細な説明】
【技術分野】
【０００１】
本願は、２０１７年３月１７日に中国特許庁に提出された中国特許出願２０１７１０１６０６３９．Ｘの優先権を主張し、その全ての内容が援用によりここに取り込まれる。
本開示は、通信分野に係り、特にサービス品質制御方法およびその装置、ＳＭＦ（Ｓｅｓｓｉｏｎ  Ｍａｎａｇｅｍｅｎｔ  Ｆｕｎｃｔｉｏｎ）、ＵＰＦ（Ｕｓｅｒ  Ｐｌａｎｅ  Ｆｕｎｃｔｉｏｎ）、ＵＥ（Ｕｓｅｒ  Ｅｑｕｉｐｍｅｎｔ）、ＰＣＦ（Ｐｏｌｉｃｙ  Ｃｏｎｔｒｏｌ  Ｆｕｎｃｔｉｏｎ）およびＡＮ（Ａｃｃｅｓｓ  Ｎｅｔｗｏｒｋ）に係る。
【背景技術】
【０００２】
次世代（ＮｅｘｔＧｅｎ）ネットワークにおいて、１つのＵＥに対し、コアネットワークで複数のセッション（ｓｅｓｓｉｏｎ）の確立が可能であり、セッション毎にコアネットワークで１つのセッショントンネル（ｓｅｓｓｉｏｎ  ｔｕｎｎｅｌ）が確立される。当該セッションに属するデータは、当該セッショントンネルを介してＡＮ（Ａｃｃｅｓｓ  Ｎｅｔｗｏｒｋ）とＵＰＦ（Ｕｓｅｒ  Ｐｌａｎｅ  Ｆｕｎｃｔｉｏｎ）の間で伝送される。また、ＡＮとＵＥのエアインタフェース側において、１つまたは複数のＲＢ（Ｒａｄｉｏ  Ｂｅａｒｅｒ）によって当該セッションのデータを伝送する。次世代ネットワークにおいて、非ＩＰパケットの伝送がサポートされる。このようなパケットは、従来のＩＰパケットヘッダを有さず、通常、非構造化パケットと称される。
【０００３】
図２に示されている次世代ネットワークのアーキテクチャーにおいて、ＵＰＦは、ユーザプレーンのアンカーポイントであり、ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）、ＳＭＦ（Ｓｅｓｓｉｏｎ  Ｍａｎａｇｅｍｅｎｔ  Ｆｕｎｃｔｉｏｎ）は、制御プレーンのネットワークノードである。また、ＡＭＦは、移動性管理を担い、ＵＥおよびＡＮに接続される。ＳＭＦは、セッションの管理を担い、ＵＰＦに接続される。ＰＣＦ（Ｐｏｌｉｃｙ  Ｃｏｎｔｒｏｌ  Ｆｕｎｃｔｉｏｎ）は、ポリシーの制御を担い、ＳＭＦに接続される。
【０００４】
ＩＰパケットについて、ＳＭＦは、自身の設定またはＰＣＦとのやり取りに基づいて、ＩＰソースアドレス、ソースポート番号、ＩＰ目標アドレス、目標ポート番号、プロトコルタイプなどが含まれるＩＰ業務フローのフローテンプレートを作成することができる。ＳＭＦは、作成したフローテンプレートおよびそれに対応するＱｏＳ（Ｑｕａｌｉｔｙ  ｏｆ  ｓｅｒｖｉｃｅ）  ＩＤをＵＰＦに送信する。ＵＰＦは、ダウンリンクデータを受信すると、受信したダウンリンクデータのＩＰパケットヘッダをフローテンプレートで整合し、整合したパケットに対し対応するＱｏＳ  ＩＤを付与してＡＮに送信し、パケットに対し対応するサービス品質が得られることを保証する。
【０００５】
従来技術では、ＩＰパケットに対し、プロバイダのポリシーにしたがって対応するサービス品質制御を提供し、対応するサービス品質のラジオベアラを選択して伝送することができる。しかし、非構造化パケットの場合、このようなパケットに従来のＩＰパケットヘッダを有しないため、ネットワークでデータパケットヘッダの解析ができず、フローテンプレートによる整合と識別ができず、ＩＰデータに対するサービス品質制御方法に従って、非構造化データに対しサービス品質の制御を行うことができない。すなわち、ネットワークで非構造化パケットのサービス品質制御ができない。
【発明の概要】
【発明が解決しようとする課題】
【０００６】
本開示によって解決しようとする技術課題は、サービス品質制御方法およびその装置、ＳＭＦ、ＵＰＦ、ＵＥ、ＰＣＦおよびＡＮを提供して、ネットワークで非構造化パケットのサービス品質制御ができないという従来技術の問題を解決することである。
【課題を解決するための手段】
【０００７】
上記の技術課題を解決するために、第１の方面において、本開示の実施例は、ＳＭＦに応用されるサービス品質制御方法を提供する。
ＳＭＦ（Ｓｅｓｓｉｏｎ  Ｍａｎａｇｅｍｅｎｔ  Ｆｕｎｃｔｉｏｎ）に応用されるサービス品質制御方法において、
非構造化データ伝送に利用されるセッションをユーザ機器ＵＥに対し確立する際に、前記セッションのサービス品質に関する指示情報を特定することと、
前記指示情報を目標ノードに送信して、前記目標ノードによって、前記指示情報に基づいて前記セッションに対応するサービス品質を特定することと、
を含む。
【０００８】
選択可能に、前記指示情報を目標ノードに送信して、前記目標ノードによって、前記指示情報に基づいて前記セッションに対応するサービス品質を特定することは、
前記指示情報をＵＰＦ（Ｕｓｅｒ  Ｐｌａｎｅ  Ｆｕｎｃｔｉｏｎ）に送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加すること、
および／または、
前記指示情報を前記ＵＥに送信し、前記ＵＥによって、前記セッションのアップリンクデータに対応するサービス品質ＩＤを前記指示情報に基づいて特定すること、
を含む。
【０００９】
選択可能に、非構造化データ伝送に利用されるセッションをユーザ機器ＵＥに対し確立する際に、前記セッションのサービス品質に関する指示情報を特定することは、
非構造化データ伝送に利用されるセッションをＵＥに対し確立する際に、前記セッションに対し、対応する第１サービス品質ＩＤを割り当てることを含み、
前記指示情報をＵＰＦに送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加することは、
前記第１サービス品質ＩＤをＵＰＦに送信し、前記ＵＰＦによって、前記第１サービス品質ＩＤを前記セッションのダウンリンクデータに対応するサービス品質ＩＤとし、前記第１サービス品質ＩＤを前記セッションのダウンリンクパケットのヘッダに前記ＵＰＦによって追加することを含み、
前記指示情報を前記ＵＥに送信し、前記ＵＥによって、前記セッションのアップリンクデータに対応するサービス品質ＩＤを前記指示情報に基づいて特定することは、
前記第１サービス品質ＩＤを前記ＵＥに送信し、前記ＵＥによって、前記第１サービス品質ＩＤを前記セッションのアップリンクデータに対応するサービス品質ＩＤとすることを含む。
【００１０】
選択可能に、非構造化データ伝送に利用されるセッションをユーザ機器ＵＥに対し確立する際に、前記セッションのサービス品質に関する指示情報を特定することは、
非構造化データ伝送に利用されるセッションをＵＥに対し確立する際に、非構造化データ伝送への前記セッションの利用を指示するセッションタイプ指示情報を取得することを含み、
前記指示情報をＵＰＦに送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加することは、
前記セッションタイプ指示情報をＵＰＦに送信し、前記ＵＰＦによって、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのダウンリンクデータに対応するサービス品質ＩＤとし、前記セッションのダウンリンクパケットのヘッダに前記第２サービス品質ＩＤを前記ＵＰＦによって追加することを含み、
前記指示情報を前記ＵＥに送信し、前記ＵＥによって、前記セッションのアップリンクデータに対応するサービス品質ＩＤを前記指示情報に基づいて特定することは、
前記セッションタイプ指示情報を前記ＵＥに送信し、前記ＵＥによって、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのアップリンクデータに対応するサービス品質ＩＤとすることを含む。
【００１１】
選択可能に、非構造化データ伝送に利用されるセッションをユーザ機器ＵＥに対し確立する際に、前記セッションのサービス品質に関する指示情報を特定することは、
非構造化データ伝送に利用されるセッションをＵＥに対し確立する際に、非構造化データ伝送への前記セッションの利用を指示するセッションタイプ指示情報が付帯され、前記セッションに関するサービス品質ポリシー要求メッセージをＰＣＦ（Ｐｏｌｉｃｙ  Ｃｏｎｔｒｏｌ  Ｆｕｎｃｔｉｏｎ）に送信することと、
完全一致ワイルドカードのストリームフィルタおよび前記セッションに対応する第３サービス品質ＩＤが含まれ、前記ＰＣＦから前記サービス品質ポリシー要求メッセージに基づいて返信された前記セッションに関するサービス品質ポリシーを取得することと、を含み、
前記指示情報をＵＰＦに送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加することは、
前記サービス品質ポリシーをＵＰＦに送信し、前記ＵＰＦによって、前記サービス品質ポリシーに基づいて前記セッションのダウンリンクデータに対応するサービス品質ＩＤを特定し、前記サービス品質ＩＤを前記セッションのダウンリンクパケットのヘッダに前記ＵＰＦによって追加することを含み、
前記指示情報を前記ＵＥに送信し、前記ＵＥによって、前記セッションのアップリンクデータに対応するサービス品質ＩＤを前記指示情報に基づいて特定することは、
前記サービス品質ポリシーを前記ＵＥに送信し、前記ＵＥによって、前記サービス品質ポリシーに基づいて前記セッションのアップリンクデータに対応するサービス品質ＩＤを特定することを含む。
【００１２】
選択可能に、前記指示情報を目標ノードに送信して、前記目標ノードによって、前記指示情報に基づいて前記セッションに対応するサービス品質を特定することは、
前記指示情報をＵＰＦとＡＮ（Ａｃｃｅｓｓ  Ｎｅｔｗｏｒｋ）に送信し、前記ＵＰＦによって、前記指示情報に基づいて前記セッションのダウンリンクデータを直接前記ＡＮに送信し、前記ＡＮによって、前記指示情報に基づいて前記セッションのダウンリンクデータに対応するサービス品質を特定すること、
および／または、
前記指示情報を前記ＵＥに送信し、前記ＵＥによって、前記指示情報に基づいて前記セッションのアップリンクデータに対応するサービス品質を特定すること、
を含む。
【００１３】
選択可能に、非構造化データ伝送に利用されるセッションをユーザ機器ＵＥに対し確立する際に、前記セッションのサービス品質に関する指示情報を特定することは、
非構造化データ伝送に利用されるセッションをＵＥに対し確立する際に、非構造化データ伝送への前記セッションの利用を指示するセッションタイプ指示情報を取得することを含み、
前記指示情報をＵＰＦとＡＮに送信し、前記ＵＰＦによって、前記指示情報に基づいて前記セッションのダウンリンクデータを直接前記ＡＮに送信し、前記ＡＮによって、前記指示情報に基づいて前記セッションのダウンリンクデータに対応するサービス品質を特定することは、
前記セッションタイプ指示情報をＵＰＦとＡＮに送信し、前記ＵＰＦによって、前記セッションタイプ指示情報に基づいて、前記セッションのダウンリンクデータを直接前記ＡＮに送信し、前記ＡＮによって、前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定することを含み、
前記指示情報を前記ＵＥに送信し、前記ＵＥによって、前記指示情報に基づいて前記セッションのアップリンクデータに対応するサービス品質を特定することは、
前記セッションタイプ指示情報を前記ＵＥに送信し、前記ＵＥによって、前記セッションタイプ指示情報および所定の非構造化データ伝送に利用されるセッションのタイプに対応するサービス品質のラジオベアラに基づいて前記セッションのアップリンクデータに対応するサービス品質のラジオベアラを特定することを含む。
【００１４】
選択可能に、前記サービス品質ＩＤは、
サービス品質データストリームＩＤおよびサービス品質等級ＩＤのうちの少なくとも一つである。
【００１５】
上記の技術課題を解決するために、第２の方面において、本開示の実施例は、ＳＭＦに応用されるサービス品質制御装置を提供する。
ＳＭＦに応用されるサービス品質制御装置において、
非構造化データ伝送に利用されるセッションをユーザ機器ＵＥに対し確立する際に、前記セッションのサービス品質に関する指示情報を特定する第１特定モジュールと、
前記指示情報を目標ノードに送信して、前記目標ノードによって、前記指示情報に基づいて前記セッションに対応するサービス品質を特定する第１送信モジュールと、
を含む。
【００１６】
選択可能に、前記第１送信モジュールは、
前記指示情報をＵＰＦに送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加する第１送信サブモジュール、
および／または、
前記指示情報を前記ＵＥに送信し、前記ＵＥによって、前記セッションのアップリンクデータに対応するサービス品質ＩＤを前記指示情報に基づいて特定する第２送信サブモジュール、
を含む。
【００１７】
選択可能に、前記第１特定モジュールは、
非構造化データ伝送に利用されるセッションをＵＥに対し確立する際に、前記セッションに対し、対応する第１サービス品質ＩＤを割り当てる割当サブモジュールを含み、
前記第１送信サブモジュールは、
前記第１サービス品質ＩＤをＵＰＦに送信し、前記ＵＰＦによって、前記第１サービス品質ＩＤを前記セッションのダウンリンクデータに対応するサービス品質ＩＤとし、前記第１サービス品質ＩＤを前記セッションのダウンリンクパケットのヘッダに前記ＵＰＦによって追加する第１送信ユニットを含み、
前記第２送信サブモジュールは、
前記第１サービス品質ＩＤを前記ＵＥに送信し、前記ＵＥによって、前記第１サービス品質ＩＤを前記セッションのアップリンクデータに対応するサービス品質ＩＤとする第２送信ユニットを含む。
【００１８】
選択可能に、前記第１特定モジュールは、
非構造化データ伝送に利用されるセッションをＵＥに対し確立する際に、非構造化データ伝送への前記セッションの利用を指示するセッションタイプ指示情報を取得する第１取得サブモジュールを含み、
前記第１送信サブモジュールは、
前記セッションタイプ指示情報をＵＰＦに送信し、前記ＵＰＦによって、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのダウンリンクデータに対応するサービス品質ＩＤとし、前記セッションのダウンリンクパケットのヘッダに前記第２サービス品質ＩＤを前記ＵＰＦによって追加する第３送信ユニットを含み、
前記第２送信サブモジュールは、
前記セッションタイプ指示情報を前記ＵＥに送信し、前記ＵＥによって、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのアップリンクデータに対応するサービス品質ＩＤとする第４送信ユニットを含む。
【００１９】
選択可能に、前記第１特定モジュールは、
非構造化データ伝送に利用されるセッションをＵＥに対し確立する際に、非構造化データ伝送への前記セッションの利用を指示するセッションタイプ指示情報が付帯され、前記セッションに関するサービス品質ポリシー要求メッセージをＰＣＦに送信する第３送信サブモジュールと、
完全一致ワイルドカードのストリームフィルタおよび前記セッションに対応する第３サービス品質ＩＤが含まれ、前記ＰＣＦから前記サービス品質ポリシー要求メッセージに基づいて返信された前記セッションに関するサービス品質ポリシーを取得する第２取得サブモジュールと、を含み、
前記第１送信サブモジュールは、
前記サービス品質ポリシーをＵＰＦに送信し、前記ＵＰＦによって、前記サービス品質ポリシーに基づいて前記セッションのダウンリンクデータに対応するサービス品質ＩＤを特定し、前記サービス品質ＩＤを前記セッションのダウンリンクパケットのヘッダに前記ＵＰＦによって追加する第５送信ユニットを含み、
前記第２送信サブモジュールは、
前記サービス品質ポリシーを前記ＵＥに送信し、前記ＵＥによって、前記サービス品質ポリシーに基づいて前記セッションのアップリンクデータに対応するサービス品質ＩＤを特定する第６送信ユニットを含む。
【００２０】
選択可能に、前記第１送信モジュールは、
前記指示情報をＵＰＦとＡＮに送信し、前記ＵＰＦによって、前記指示情報に基づいて前記セッションのダウンリンクデータを直接前記ＡＮに送信し、前記ＡＮによって、前記指示情報に基づいて前記セッションのダウンリンクデータに対応するサービス品質を特定する第４送信サブモジュール、
および／または、
前記指示情報を前記ＵＥに送信し、前記ＵＥによって、前記指示情報に基づいて前記セッションのアップリンクデータに対応するサービス品質を特定する第５送信サブモジュールを含む。
【００２１】
選択可能に、前記第１特定モジュールは、
非構造化データ伝送に利用されるセッションをＵＥに対し確立する際に、非構造化データ伝送への前記セッションの利用を指示するセッションタイプ指示情報を取得する第３取得サブモジュールを含み、
前記第４送信サブモジュールは、
前記セッションタイプ指示情報をＵＰＦとＡＮに送信し、前記ＵＰＦによって、前記セッションタイプ指示情報に基づいて、前記セッションのダウンリンクデータを直接前記ＡＮに送信し、前記ＡＮによって、前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定する第７送信ユニットを含み、
前記第５送信サブモジュールは、
前記セッションタイプ指示情報を前記ＵＥに送信し、前記ＵＥによって、前記セッションタイプ指示情報および所定の非構造化データ伝送に利用されるセッションのタイプに対応するサービス品質のラジオベアラに基づいて前記セッションのアップリンクデータに対応するサービス品質のラジオベアラを特定する第８送信ユニットを含む。
【００２２】
選択可能に、前記サービス品質ＩＤは、
サービス品質データストリームＩＤおよびサービス品質等級ＩＤのうちの少なくとも一つである。
【００２３】
上記の技術課題を解決するために、第３の方面において、本開示の実施例は、第１メモリと、第１プロセッサと、および第１メモリに記憶されて第１プロセッサで実行可能なコンピュータプログラムとを含むＳＭＦを提供し、前記コンピュータプログラムが前記第１プロセッサによって実行されると、上記のいずれか１つに記載のサービス品質制御方法のステップが実現される。
【００２４】
上記の技術課題を解決するために、第４の方面において、本開示の実施例は、コンピュータプログラムが記憶されているコンピュータ読み取り可能な記憶媒体を提供し、前記コンピュータプログラムがプロセッサによって実行されると、上記のいずれか一つに記載のサービス品質制御方法のステップが実現される。
【００２５】
上記の技術課題を解決するために、第５の方面において、本開示の実施例は、ＵＰＦに応用されるサービス品質制御方法を提供する。当該方法において、
ＳＭＦから非構造化データ伝送に利用されるセッションをユーザ機器ＵＥに対し確立する際に送信され、前記セッションのサービス品質に関する指示情報を受信することと、
前記指示情報に基づいて、前記セッションのダウンリンクデータに対応するサービス品質を特定することと、
を含む。
【００２６】
選択可能に、前記指示情報に基づいて、前記セッションのダウンリンクデータに対応するサービス品質を特定することは、
前記指示情報に基づいて、前記セッションのダウンリンクデータに対応するサービス品質ＩＤを特定し、前記セッションのダウンリンクパケットのヘッダに前記サービス品質ＩＤを追加することを含む。
【００２７】
選択可能に、ＳＭＦから非構造化データ伝送に利用されるセッションをユーザ機器ＵＥに対し確立する際に送信され、前記セッションのサービス品質に関する指示情報を受信することは、
前記ＳＭＦから非構造化データ伝送に利用されるセッションをＵＥに対し確立する際に前記セッションに割り当てられたサービス品質ＩＤである第１サービス品質ＩＤを、前記ＳＭＦから受信することを含み、
前記指示情報に基づいて、前記セッションのダウンリンクデータに対応するサービス品質ＩＤを特定し、前記セッションのダウンリンクパケットのヘッダに前記サービス品質ＩＤを追加することは、
前記第１サービス品質ＩＤを、前記セッションのダウンリンクデータに対応するサービス品質ＩＤとし、前記セッションのダウンリンクパケットのヘッダに前記第１サービス品質ＩＤを追加することを含み、
または、
ＳＭＦから非構造化データ伝送に利用されるセッションをユーザ機器ＵＥに対し確立する際に送信され、前記セッションのサービス品質に関する指示情報を受信することは、
非構造化データ伝送への前記セッションの利用を指示するセッションタイプ指示情報を、前記ＳＭＦから受信することを含み、
前記指示情報に基づいて、前記セッションのダウンリンクデータに対応するサービス品質ＩＤを特定し、前記セッションのダウンリンクパケットのヘッダに前記サービス品質ＩＤを追加することは、
前記セッションタイプ指示情報および所定の非構造化データ伝送に利用されるセッションのタイプに対応するサービス品質ＩＤに基づいて、前記セッションに対応する第２サービス品質ＩＤを取得することと、
前記第２サービス品質ＩＤを前記セッションのダウンリンクデータに対応するサービス品質ＩＤとし、前記セッションのダウンリンクパケットのヘッダに前記第２サービス品質ＩＤを追加することと、を含み、
または、
ＳＭＦから非構造化データ伝送に利用されるセッションをユーザ機器ＵＥに対し確立する際に送信され、前記セッションのサービス品質に関する指示情報を受信することは、
完全一致ワイルドカードのストリームフィルタおよび前記セッションに対応する第３サービス品質ＩＤが含まれるサービス品質ポリシーを前記ＳＭＦから受信することを含み、
ここで、前記サービス品質ポリシーは、
前記ＳＭＦから非構造化データ伝送に利用されるセッションをＵＥに対し確立する際に、前記セッションに関するサービス品質ポリシー要求メッセージをＰＣＦに送信した後に取得され、前記ＰＣＦから前記サービス品質ポリシー要求メッセージに基づいて返信された前記セッションに対応するサービス品質ポリシーであり、
前記サービス品質ポリシー要求メッセージには、非構造化データ伝送への前記セッションの利用を指示するセッションタイプ指示情報が付帯され、
前記指示情報に基づいて、前記セッションのダウンリンクデータに対応するサービス品質ＩＤを特定し、前記セッションのダウンリンクパケットのヘッダに前記サービス品質ＩＤを追加することは、
前記サービス品質ポリシーに基づいて前記セッションのダウンリンクデータに対応するサービス品質ＩＤを特定し、前記ＵＰＦによって前記サービス品質ＩＤを前記セッションのダウンリンクパケットのヘッダに追加することを含む。
【００２８】
選択可能に、前記指示情報に基づいて、前記セッションのダウンリンクデータに対応するサービス品質を特定することは、
前記指示情報に基づいて前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記指示情報に基づいて、前記セッションのダウンリンクデータに対応するサービス品質を特定することを含む。
【００２９】
選択可能に、ＳＭＦから非構造化データ伝送に利用されるセッションをユーザ機器ＵＥに対し確立する際に送信され、前記セッションのサービス品質に関する指示情報を受信することは、
非構造化データ伝送への前記セッションの利用を指示するセッションタイプ指示情報を前記ＳＭＦから受信することを含み、
前記指示情報に基づいて前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記指示情報に基づいて前記セッションのダウンリンクデータに対応するサービス品質を特定することは、
前記セッションタイプ指示情報に基づいて、前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記セッションタイプ指示情報および所定の非構造化データ伝送に利用されるセッションのタイプに対応するサービス品質のラジオベアラに基づいて、前記セッションのダウンリンクデータに対応するサービス品質のラジオベアラを特定することを含む。
【００３０】
上記の技術課題を解決するために、第６の方面において、本開示の実施例は、ＵＰＦに応用されるサービス品質制御装置を提供する。
ＵＰＦに応用されるサービス品質制御装置において、
ＳＭＦから非構造化データ伝送に利用されるセッションをユーザ機器ＵＥに対し確立する際に送信され、前記セッションのサービス品質に関する指示情報を受信する第１受信モジュールと、
前記指示情報に基づいて、前記セッションのダウンリンクデータに対応するサービス品質を特定する第２特定モジュールと、
を含む。
【００３１】
選択可能に、前記第２特定モジュールは、
前記指示情報に基づいて、前記セッションのダウンリンクデータに対応するサービス品質ＩＤを特定し、前記セッションのダウンリンクパケットのヘッダに前記サービス品質ＩＤを追加する第１特定サブモジュールを含む。
【００３２】
選択可能に、前記第１受信モジュールは、
前記ＳＭＦから非構造化データ伝送に利用されるセッションをＵＥに対し確立する際に前記セッションに割り当てられたサービス品質ＩＤである第１サービス品質ＩＤを、前記ＳＭＦから受信する第１受信サブモジュールを含み、
前記第１特定サブモジュールは、
前記第１サービス品質ＩＤを、前記セッションのダウンリンクデータに対応するサービス品質ＩＤとし、前記セッションのダウンリンクパケットのヘッダに前記第１サービス品質ＩＤを追加する第１特定ユニットを含み、
または、
前記第１受信モジュールは、
非構造化データ伝送への前記セッションの利用を指示するセッションタイプ指示情報を、前記ＳＭＦから受信する第２受信サブモジュールを含み、
前記第１特定サブモジュールは、
前記セッションタイプ指示情報および所定の非構造化データ伝送に利用されるセッションのタイプに対応するサービス品質ＩＤに基づいて、前記セッションに対応する第２サービス品質ＩＤを取得する第１取得ユニットと、
前記第２サービス品質ＩＤを前記セッションのダウンリンクデータに対応するサービス品質ＩＤとし、前記セッションのダウンリンクパケットのヘッダに前記第２サービス品質ＩＤを追加する第２特定ユニットと、を含み、
または、
前記第１受信モジュールは、
完全一致ワイルドカードのストリームフィルタおよび前記セッションに対応する第３サービス品質ＩＤが含まれるサービス品質ポリシーを前記ＳＭＦから受信する第３受信サブモジュールを含み、
ここで、前記サービス品質ポリシーは、
前記ＳＭＦから非構造化データ伝送に利用されるセッションをＵＥに対し確立する際に、前記セッションに関するサービス品質ポリシー要求メッセージをＰＣＦに送信した後に取得され、前記ＰＣＦから前記サービス品質ポリシー要求メッセージに基づいて返信された前記セッションに対応するサービス品質ポリシーであり、
前記サービス品質ポリシー要求メッセージには、非構造化データ伝送への前記セッションの利用を指示するセッションタイプ指示情報が付帯され、
前記第１特定サブモジュールは、
前記サービス品質ポリシーに基づいて前記セッションのダウンリンクデータに対応するサービス品質ＩＤを特定し、前記ＵＰＦによって前記サービス品質ＩＤを前記セッションのダウンリンクパケットのヘッダに追加する第３特定ユニットを含む。
【００３３】
選択可能に、前記第２特定モジュールは、
前記指示情報に基づいて前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記指示情報に基づいて、前記セッションのダウンリンクデータに対応するサービス品質を特定する第６送信サブモジュールを含む。
【００３４】
選択可能に、前記第１受信モジュールは、
非構造化データ伝送への前記セッションの利用を指示するセッションタイプ指示情報を前記ＳＭＦから受信する第４受信サブモジュールを含み、
前記第６送信サブモジュールは、
前記セッションタイプ指示情報に基づいて、前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記セッションタイプ指示情報および所定の非構造化データ伝送に利用されるセッションのタイプに対応するサービス品質のラジオベアラに基づいて、前記セッションのダウンリンクデータに対応するサービス品質のラジオベアラを特定する第９送信ユニットを含む。
【００３５】
上記の技術課題を解決するために、第７の方面において、本開示の実施例は、第２メモリと、第２プロセッサと、および第２メモリに記憶されて第２プロセッサで実行可能なコンピュータプログラムとを含むＵＰＦを提供し、前記コンピュータプログラムが前記第２プロセッサによって実行されると、上記のいずれか一つに記載のサービス品質制御方法のステップが実現される。
【００３６】
上記の技術課題を解決するために、第８の方面において、本開示の実施例は、コンピュータプログラムが記憶されているコンピュータ読み取り可能な記憶媒体を提供し、前記コンピュータプログラムがプロセッサによって実行されると、上記のいずれか一つに記載のサービス品質制御方法のステップが実現される。
【００３７】
上記の技術課題を解決するために、第９の方面において、本開示の実施例は、ＵＥに応用されるサービス品質制御方法を提供する。当該方法において、
ＳＭＦから非構造化データ伝送に利用されるセッションをユーザ機器ＵＥに対し確立する際に送信され、前記セッションのサービス品質に関する指示情報を受信することと、
前記指示情報に基づいて、前記セッションのアップリンクデータに対応するサービス品質を特定することと、
を含む。
【００３８】
選択可能に、ＳＭＦから非構造化データ伝送に利用されるセッションをユーザ機器ＵＥに対し確立する際に送信され、前記セッションのサービス品質に関する指示情報を受信することは、
前記ＳＭＦから非構造化データ伝送に利用されるセッションをＵＥに対し確立する際に前記セッションに割り当てられたサービス品質ＩＤである第１サービス品質ＩＤを、前記ＳＭＦから受信することを含み、
前記指示情報に基づいて、前記セッションのアップリンクデータに対応するサービス品質を特定することは、
前記第１サービス品質ＩＤを、前記セッションのアップリンクデータに対応するサービス品質ＩＤとすることを含み、
または、
ＳＭＦから非構造化データ伝送に利用されるセッションをユーザ機器ＵＥに対し確立する際に送信され、前記セッションのサービス品質に関する指示情報を受信することは、
非構造化データ伝送への前記セッションの利用を指示するセッションタイプ指示情報を、前記ＳＭＦから受信することを含み、
前記指示情報に基づいて、前記セッションのアップリンクデータに対応するサービス品質を特定することは、
前記セッションタイプ指示情報および所定の非構造化データ伝送に利用されるセッションのタイプに対応するサービス品質ＩＤに基づいて、前記セッションに対応する第２サービス品質ＩＤを取得することと、
前記第２サービス品質ＩＤを前記セッションのアップリンクデータに対応するサービス品質ＩＤとすることと、を含み、
または、
ＳＭＦから非構造化データ伝送に利用されるセッションをユーザ機器ＵＥに対し確立する際に送信され、前記セッションのサービス品質に関する指示情報を受信することは、
完全一致ワイルドカードのストリームフィルタおよび前記セッションに対応する第３サービス品質ＩＤが含まれるサービス品質ポリシーを前記ＳＭＦから受信することを含み、
ここで、前記サービス品質ポリシーは、
前記ＳＭＦから非構造化データ伝送に利用されるセッションをＵＥに対し確立する際に、前記セッションに関するサービス品質ポリシー要求メッセージをＰＣＦに送信した後に取得され、前記ＰＣＦから前記サービス品質ポリシー要求メッセージに基づいて返信された前記セッションに対応するサービス品質ポリシーであり、
前記サービス品質ポリシー要求メッセージには、非構造化データ伝送への前記セッションの利用を指示するセッションタイプ指示情報が付帯され、
前記指示情報に基づいて、前記セッションのアップリンクデータに対応するサービス品質を特定することは、
前記サービス品質ポリシーに基づいて前記セッションのアップリンクデータに対応するサービス品質ＩＤを特定することを含む。
【００３９】
選択可能に、ＳＭＦから非構造化データ伝送に利用されるセッションをユーザ機器ＵＥに対し確立する際に送信され、前記セッションのサービス品質に関する指示情報を受信することは、
非構造化データ伝送への前記セッションの利用を指示するセッションタイプ指示情報を前記ＳＭＦから受信することを含み、
前記指示情報に基づいて、前記セッションのアップリンクデータに対応するサービス品質を特定することは、
前記セッションタイプ指示情報および所定の非構造化データ伝送に利用されるセッションのタイプに対応するサービス品質のラジオベアラに基づいて前記セッションのアップリンクデータに対応するサービス品質のラジオベアラを特定することを含む。
【００４０】
上記の技術課題を解決するために、第１０の方面において、本開示の実施例は、ＵＥに応用されるサービス品質制御装置を提供する。当該装置は、
ＳＭＦから非構造化データ伝送に利用されるセッションをユーザ機器ＵＥに対し確立する際に送信され、前記セッションのサービス品質に関する指示情報を受信する第２受信モジュールと、
前記指示情報に基づいて、前記セッションのアップリンクデータに対応するサービス品質を特定する第３特定モジュールと、
を含む。
【００４１】
選択可能に、前記第２受信モジュールは、
前記ＳＭＦから非構造化データ伝送に利用されるセッションをＵＥに対し確立する際に前記セッションに割り当てられたサービス品質ＩＤである第１サービス品質ＩＤを、前記ＳＭＦから受信する第５受信サブモジュールを含み、
前記第３特定モジュールは、
前記第１サービス品質ＩＤを、前記セッションのアップリンクデータに対応するサービス品質ＩＤとする第２特定サブモジュールを含み、
または、
前記第２受信モジュールは、
非構造化データ伝送への前記セッションの利用を指示するセッションタイプ指示情報を、前記ＳＭＦから受信する第６受信サブモジュールを含み、
前記第３特定モジュールは、
前記セッションタイプ指示情報および所定の非構造化データ伝送に利用されるセッションのタイプに対応するサービス品質ＩＤに基づいて、前記セッションに対応する第２サービス品質ＩＤを取得第４取得サブモジュールと、
前記第２サービス品質ＩＤを前記セッションのアップリンクデータに対応するサービス品質ＩＤとする第３特定サブモジュールと、を含み、
または、
前記第２受信モジュールは、
完全一致ワイルドカードのストリームフィルタおよび前記セッションに対応する第３サービス品質ＩＤが含まれるサービス品質ポリシーを前記ＳＭＦから受信する第７受信サブモジュールを含み、
ここで、前記サービス品質ポリシーは、
前記ＳＭＦから非構造化データ伝送に利用されるセッションをＵＥに対し確立する際に、前記セッションに関するサービス品質ポリシー要求メッセージをＰＣＦに送信した後に取得され、前記ＰＣＦから前記サービス品質ポリシー要求メッセージに基づいて返信された前記セッションに対応するサービス品質ポリシーであり、
前記サービス品質ポリシー要求メッセージには、非構造化データ伝送への前記セッションの利用を指示するセッションタイプ指示情報が付帯され、
前記第３特定モジュールは、
前記サービス品質ポリシーに基づいて前記セッションのアップリンクデータに対応するサービス品質ＩＤを特定する第４特定サブモジュールを含む。
【００４２】
選択可能に、前記第２受信モジュールは、
非構造化データ伝送への前記セッションの利用を指示するセッションタイプ指示情報を前記ＳＭＦから受信する第８受信サブモジュールを含み、
前記第３特定モジュールは、
前記セッションタイプ指示情報および所定の非構造化データ伝送に利用されるセッションのタイプに対応するサービス品質のラジオベアラに基づいて前記セッションのアップリンクデータに対応するサービス品質のラジオベアラを特定する第５特定サブモジュールを含む。
【００４３】
上記の技術課題を解決するために、第１１の方面において、本開示の実施例は、第３メモリと、第３プロセッサと、および第３メモリに記憶されて第３プロセッサで実行可能なコンピュータプログラムとを含むＵＥを提供し、前記コンピュータプログラムが前記第３プロセッサによって実行されると、上記のいずれか一つに記載のサービス品質制御方法のステップが実現される。
【００４４】
上記の技術課題を解決するために、第１２の方面において、本開示の実施例は、コンピュータプログラムが記憶されているコンピュータ読み取り可能な記憶媒体を提供し、前記コンピュータプログラムがプロセッサによって実行されると、上記のいずれか一つに記載のサービス品質制御方法のステップが実現される。
【００４５】
上記の技術課題を解決するために、第１３の方面において、本開示の実施例は、ＰＣＦに応用されるサービス品質制御方法を提供する。
ＰＣＦに応用されるサービス品質制御方法において、
ＳＭＦから非構造化データ伝送に利用されるセッションをユーザ機器ＵＥに対し確立する際に送信され、非構造化データ伝送への前記セッションの利用を指示するセッションタイプ指示情報が付帯され、前記セッションに関するサービス品質ポリシー要求メッセージを受信することと、
前記サービス品質ポリシー要求メッセージに基づいて、完全一致ワイルドカードのストリームフィルタおよび前記セッションに対応する第３サービス品質ＩＤが含まれ、前記セッションに対応するサービス品質ポリシーを特定することと、
前記セッションに対応するサービス品質ポリシーを前記ＳＭＦに返信することと、
を含む。
【００４６】
上記の技術課題を解決するために、第１４の方面において、本開示の実施例は、ＰＣＦに応用されるサービス品質制御装置を提供する。
ＰＣＦに応用されるサービス品質制御装置において、
ＳＭＦから非構造化データ伝送に利用されるセッションをユーザ機器ＵＥに対し確立する際に送信され、非構造化データ伝送への前記セッションの利用を指示するセッションタイプ指示情報が付帯され、前記セッションに関するサービス品質ポリシー要求メッセージを受信する第３受信モジュールと、
前記サービス品質ポリシー要求メッセージに基づいて、完全一致ワイルドカードのストリームフィルタおよび前記セッションに対応する第３サービス品質ＩＤが含まれ、前記セッションに対応するサービス品質ポリシーを特定する第４特定モジュールと、
前記セッションに対応するサービス品質ポリシーを前記ＳＭＦに返信する返信モジュールと、
を含む。
【００４７】
上記の技術課題を解決するために、第１５の方面において、本開示の実施例は、第４メモリと、第４プロセッサと、および第４メモリに記憶されて第４プロセッサで実行可能なコンピュータプログラムとを含むＰＣＦを提供し、前記コンピュータプログラムが前記第４プロセッサによって実行されると、上記のサービス品質制御方法のステップが実現される。
【００４８】
上記の技術課題を解決するために、第１６の方面において、本開示の実施例は、コンピュータプログラムが記憶されているコンピュータ読み取り可能な記憶媒体を提供し、前記コンピュータプログラムがプロセッサによって実行されると、上記のサービス品質制御方法のステップが実現される。
【００４９】
上記の技術課題を解決するために、第１７の方面において、本開示の実施例は、ＡＮに応用されるサービス品質制御方法を提供する。
ＡＮに応用されるサービス品質制御方法において、
ＳＭＦから非構造化データ伝送に利用されるセッションをユーザ機器ＵＥに対し確立する際に前記ＡＮに送信され、前記セッションのサービス品質に関する指示情報を受信することと、
前記ＳＭＦから非構造化データ伝送に利用されるセッションをＵＥに対し確立する際に前記ＵＰＦに送信された前記指示情報に基づいて、ＵＰＦから直接的に送信された前記セッションのダウンリンクデータを受信することと、
前記指示情報に基づいて前記セッションのダウンリンクデータに対応するサービス品質を特定することと、
を含む。
【００５０】
選択可能に、ＳＭＦから非構造化データ伝送に利用されるセッションをユーザ機器ＵＥに対し確立する際に前記ＡＮに送信され、前記セッションのサービス品質に関する指示情報を受信することは、
前記ＡＮに送信され、非構造化データ伝送への前記セッションの利用を指示するセッションタイプ指示情報を前記ＳＭＦから受信することを含み、
前記指示情報に基づいて前記セッションのダウンリンクデータに対応するサービス品質を特定することは、
前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定することを含む。
【００５１】
上記の技術課題を解決するために、第１８の方面において、本開示の実施例は、ＡＮに応用されるサービス品質制御装置を提供する。
ＡＮに応用されるサービス品質制御装置において、
ＳＭＦから非構造化データ伝送に利用されるセッションをユーザ機器ＵＥに対し確立する際に前記ＡＮに送信され、前記セッションのサービス品質に関する指示情報を受信する第４受信モジュールと、
前記ＳＭＦから非構造化データ伝送に利用されるセッションをＵＥに対し確立する際に前記ＵＰＦに送信された前記指示情報に基づいて、ＵＰＦから直接的に送信された前記セッションのダウンリンクデータを受信する第５受信モジュールと、
前記指示情報に基づいて前記セッションのダウンリンクデータに対応するサービス品質を特定する第５特定モジュールと、
を含む。
【００５２】
選択可能に、前記第４受信モジュールは、
前記ＡＮに送信され、非構造化データ伝送への前記セッションの利用を指示するセッションタイプ指示情報を前記ＳＭＦから受信する第９受信サブモジュールを含み、
前記第５特定モジュールは、
前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定する第６特定サブモジュールを含む。
【００５３】
上記の技術課題を解決するために、第１９の方面において、本開示の実施例は、第５メモリと、第５プロセッサと、および第５メモリに記憶されて第５プロセッサで実行可能なコンピュータプログラムとを含むＡＮを提供し、前記コンピュータプログラムが前記第５プロセッサによって実行されると、上記のいずれか一つに記載のサービス品質制御方法のステップが実現される。
【００５４】
上記の技術課題を解決するために、第２０の方面において、本開示の実施例は、コンピュータプログラムが記憶されているコンピュータ読み取り可能な記憶媒体を提供し、前記コンピュータプログラムがプロセッサによって実行されると、上記のいずれか一つに記載のサービス品質制御方法のステップが実現される。
【発明の効果】
【００５５】
本開示の実施例のサービス品質制御方法において、ＳＭＦは、非構造化データ伝送に利用されるセッションをＵＥに対し確立する際に、前記セッションのサービス品質に関する指示情報を特定し、それから、前記指示情報を目標ノードに送信し、前記目標ノードによって、前記セッションに対応するサービス品質を前記指示情報に基づいて特定する。このように、目標ノードは、ＳＭＦから送信された指示情報に基づいて、非構造化データ伝送に利用されるセッションのサービス品質を特定することができる。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【図面の簡単な説明】
【００５６】
本開示の実施例や従来技術の技術手段をより明確に説明するために、以下、実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００５７】
【図１】本開示の実施例におけるＳＭＦに応用されるサービス品質制御方法のフローチャートである。
【図２】次世代ネットワークのアーキテクチャーである。
【図３】本開示の実施例における非構造化データ伝送に応用されるサービス品質制御方法の１つのフローチャートである。
【図４】本開示の実施例における非構造化データ伝送に応用されるサービス品質制御方法のもう１つのフローチャートである。
【図５】本開示の実施例における非構造化データ伝送に応用されるサービス品質制御方法のさらにもう１つのフローチャートである。
【図６】本開示の実施例におけるＳＭＦに応用されるサービス品質制御装置の構造図である。
【図７】本開示の実施例におけるＳＭＦの構造図である。
【図８】本開示の実施例におけるＵＰＦに応用されるサービス品質制御方法のフローチャートである。
【図９】本開示の実施例におけるＵＰＦに応用されるサービス品質制御装置の構造図である。
【図１０】本開示の実施例におけるＵＰＦの構造図である。
【図１１】本開示の実施例におけるＵＥに応用されるサービス品質制御方法のフローチャートである。
【図１２】本開示の実施例におけるＵＥに応用されるサービス品質制御装置の構造図である。
【図１３】本開示の実施例におけるＵＥの構造図である。
【図１４】本開示の実施例におけるＰＣＦに応用されるサービス品質制御方法のフローチャートである。
【図１５】本開示の実施例におけるＰＣＦに応用されるサービス品質制御装置の構造図である。
【図１６】本開示の実施例におけるＰＣＦの構造図である。
【図１７】本開示の実施例におけるＡＮに応用されるサービス品質制御方法のフローチャートである。
【図１８】本開示の実施例におけるＡＮに応用されるサービス品質制御装置の構造図である。
【図１９】本開示の実施例におけるＡＮの構造図である。
【発明を実施するための形態】
【００５８】
本開示の解決しようとする技術課題、技術手段および利点をより明確にするために、以下、添付図面および具体的な実施例を通じて詳細に記載する。
【００５９】
本開示の一部の実施例において、図１に示すように、ＳＭＦに応用されるサービス品質制御方法を提供する。当該方法において、以下のステップ１０１〜１０２を含む。
【００６０】
ステップ１０１において、非構造化データ伝送に利用されるセッションをユーザ機器ＵＥに対し確立する際に、前記セッションのサービス品質に関する指示情報を特定する。
【００６１】
ここで、ＳＭＦは、非構造化データ伝送に利用されるセッションをＵＥに対し確立する際に、セッションのサービス品質に関する指示情報を特定することによって、後の、セッションに対応するサービス品質の特定をサポートする。
【００６２】
なお、本開示の実施例において、非構造化データ伝送に利用されるセッションのデータ伝送時のサービス品質制御が実現されるが、特別に説明しない限り、以下で言及されるセッションは、すべて上記の非構造化データ伝送に利用されるセッションを指す。
【００６３】
ステップ１０２において、前記指示情報を目標ノードに送信し、前記目標ノードによって、前記セッションに対応するサービス品質を前記指示情報に基づいて特定する。
【００６４】
ここで、ＳＭＦは、セッションのサービス品質に関する指示情報を目標ノードに送信し、目標ノードによって、当該指示情報に基づいて、セッションに対応するサービス品質を特定することができる。よって、非構造化パケットのサービス品質制御が実現され、ネットワーク性能が向上する。
【００６５】
本開示の実施例のサービス品質制御方法において、目標ノードは、ＳＭＦから送信された指示情報に基づいて、非構造化データ伝送に利用されるセッションのサービス品質を特定することができる。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【００６６】
選択可能に、上記ステップ１０２は、下記のステップ１０２１を含む。
ステップ１０２１において、前記指示情報をＵＰＦに送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加する。
【００６７】
ここで、ＳＭＦは、指示情報をＵＰＦに送信し、ＵＰＦは、当該指示情報に基づいて、セッションのダウンリンクデータに対応するＱｏＳ  ＩＤを特定し、セッションのダウンリンクパケットのヘッダにＱｏＳ  ＩＤを追加することができるため、ネットワークで非構造化パケットのサービス品質制御が実現される。かつＵＰＦによって、セッションのダウンリンクパケットのヘッダに当該ＱｏＳ  ＩＤを追加し、後にダウンリンクデータをＡＮに送信することによって、ＡＮは、パケットヘッダのＱｏＳ  ＩＤに基づいて、対応するサービス品質のラジオベアラを選択してダウンリンクデータを伝送することができるため、データのサービス品質を保証する。
【００６８】
選択可能に、上記ステップ１０２は、下記のステップ１０２２を含む。
ステップ１０２２において、前記指示情報を前記ＵＥに送信し、前記ＵＥによって、前記セッションのアップリンクデータに対応するサービス品質ＩＤを前記指示情報に基づいて特定する。
【００６９】
ここで、ＳＭＦは、指示情報をＵＥに送信し、ＵＥは、当該指示情報に基づいて、セッションのアップリンクデータに対応するＱｏＳ  ＩＤを特定することができるため、ネットワークで非構造化パケットのサービス品質制御が実現される。かつ後にＵＥは、当該ＱｏＳ  ＩＤに基づいて、対応するサービス品質のラジオベアラを選択してアップリンクデータを伝送することができるため、データのサービス品質を保証する。
【００７０】
ここで、上記ステップ１０２は、ステップ１０２１のみまたはステップ１０２２のみを含んでもよく、ステップ１０２１とステップ１０２２を同時に含んでもよい。本開示の実施例において、これについて限定しないことは、当業者が理解できる。
【００７１】
選択可能な実現形態として、状態ステップ１０１は、非構造化データ伝送に利用されるセッションをＵＥに対し確立する際に、前記セッションに対し、対応する第１サービス品質ＩＤを割り当てるステップ１０１１を含む。
【００７２】
ここで、ＳＭＦは、非構造化データ伝送に利用されるセッションをＵＥに対し確立する際に、セッションに対し、対応する第１サービス品質ＩＤを割り当て、後に目標ノードは、当該第１ＱｏＳ  ＩＤに基づいて直接セッションのサービス品質を特定することができる。
【００７３】
ここで、ＳＭＦは、プロバイダのポリシーまたはユーザの契約情報に基づいて、非構造化データ伝送に利用されるセッションに第１ＱｏＳ  ＩＤを割り当てる。
【００７４】
上記ステップ１０２１は、前記第１サービス品質ＩＤをＵＰＦに送信し、前記ＵＰＦによって、前記第１サービス品質ＩＤを前記セッションのダウンリンクデータに対応するサービス品質ＩＤとし、前記第１サービス品質ＩＤを前記セッションのダウンリンクパケットのヘッダに追加するステップ１０２１１を含む。
【００７５】
ここで、ＳＭＦは、第１ＱｏＳ  ＩＤをＵＰＦに送信し、ＵＰＦは、直接第１ＱｏＳ  ＩＤをセッションのダウンリンクデータに対応するサービス品質ＩＤとし、セッションのダウンリンクパケットのヘッダに当該第１ＱｏＳ  ＩＤを追加することができるため、ネットワークで非構造化パケットのサービス品質制御が実現される。かつＵＰＦによって、セッションのダウンリンクパケットのヘッダに第１ＱｏＳ  ＩＤを追加し、後にダウンリンクデータをＡＮに送信することによって、ＡＮは、パケットヘッダの第１ＱｏＳ  ＩＤに基づいて、対応するサービス品質のラジオベアラを選択してダウンリンクデータを伝送することができるため、データのサービス品質を保証する。
【００７６】
ここで、ＳＭＦから当該非構造化データ伝送に利用されるセッションに割り当てられる第１ＱｏＳ  ＩＤは、セッションレベルのサービス品質ＩＤである。ＵＰＦは、当該セッションの任意のダウンリンクデータを受信すると、パケットヘッダに当該第１ＱｏＳ  ＩＤを付与する。
【００７７】
上記ステップ１０２２は、前記第１サービス品質ＩＤを前記ＵＥに送信し、前記ＵＥによって、前記第１サービス品質ＩＤを前記セッションのアップリンクデータに対応するサービス品質ＩＤとするステップ１０２２１を含む。
【００７８】
ここで、ＳＭＦは、第１ＱｏＳ  ＩＤをＵＥに送信し、ＵＥは、直接当該第１ＱｏＳ  ＩＤを、セッションのアップリンクデータに対応するサービス品質ＩＤとすることができるため、ネットワークで非構造化パケットのサービス品質制御が実現される。かつ後にＵＥは、当該第１ＱｏＳ  ＩＤに基づいて、対応するサービス品質のラジオベアラを選択してアップリンクデータを伝送することができるため、データのサービス品質を保証する。
【００７９】
上述のように、ＳＭＦから当該非構造化データ伝送に利用されるセッションに割り当てられる第１ＱｏＳ  ＩＤは、セッションレベルのサービス品質ＩＤであり、ＵＥは、当該セッションの任意のアップリンクデータについても、当該第１ＱｏＳ  ＩＤに基づいて、対応するサービス品質のラジオベアラを選択して伝送する。
【００８０】
この場合、ＳＭＦは、非構造化データ伝送に利用されるセッションの確立に際し、当該セッションのサービス品質制御用の第１ＱｏＳ  ＩＤをＵＰＦに提供する。ＵＰＦは、当該セッションの任意のダウンリンクデータを受信すると、パケットヘッダに当該第１ＱｏＳ  ＩＤを付与し、セッショントンネルを介してＡＮに送信する。ＡＮは、パケットヘッダのＱｏＳ  ＩＤに基づいて、対応するＱｏＳを提供するラジオベアラを選択して伝送し、データのサービス品質を保証する。ここで、ＳＭＦは、セッションの確立に際し、第１ＱｏＳ  ＩＤをＵＥに送信してもよい。ＵＥは、当該セッションの任意のアップリンクデータについて、当該第１ＱｏＳ  ＩＤに基づいて、対応するサービス品質のラジオベアラを選択して伝送し、データのサービス品質を保証する。
【００８１】
別の選択可能な実現形態として、上記ステップ１０１は、非構造化データ伝送に利用されるセッションをＵＥに対し確立する際に、非構造化データ伝送への前記セッションの利用を指示するセッションタイプ指示情報を取得するステップ１０１２を含む。
【００８２】
ここで、ＳＭＦは、非構造化データ伝送に利用されるセッションをＵＥに対し確立する際に、非構造化データ伝送用の当該セッションのタイプを指示するセッションタイプ指示情報を取得し、後に目標ノードは、当該セッションタイプ指示情報に基づいてセッションのサービス品質を特定することができる。
【００８３】
上記ステップ１０２１は、前記セッションタイプ指示情報をＵＰＦに送信し、前記ＵＰＦによって、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのダウンリンクデータに対応するサービス品質ＩＤとし、前記セッションのダウンリンクパケットのヘッダに前記第２サービス品質ＩＤを追加するステップ１０２１２を含む。
【００８４】
ここで、ＳＭＦは、非構造化データ伝送へのセッションの利用を指示するセッションタイプ指示情報をＵＰＦに送信する。ＵＰＦにおいて、当該種類のセッションタイプに対しデフォルトになっているＱｏＳ  ＩＤ、すなわち第２ＱｏＳ  ＩＤが予め設定されている。ＵＰＦは、セッションタイプ指示情報に基づいて、セッションを非構造化データ伝送に用いると特定すると、セッションに対応する第２ＱｏＳ  ＩＤを取得し、それから第２ＱｏＳ  ＩＤをセッションのダウンリンクデータに対応するサービス品質ＩＤとし、セッションのダウンリンクパケットのヘッダに当該第２ＱｏＳ  ＩＤを追加して、ネットワークで非構造化パケットのサービス品質制御が実現される。
【００８５】
ここで、ＵＰＦがセッションのダウンリンクパケットのヘッダに第２ＱｏＳ  ＩＤを追加し、後にダウンリンクデータをＡＮに送信することによって、ＡＮは、パケットヘッダの第２ＱｏＳ  ＩＤに基づいて、対応するサービス品質のラジオベアラを選択してダウンリンクデータを伝送することができるため、データのサービス品質を保証する。
【００８６】
ここで、ＵＰＦで予め設定されている非構造化データ伝送に利用されるセッションタイプに対応するＱｏＳ  ＩＤ、すなわち第２ＱｏＳ  ＩＤも、セッションレベルのサービス品質ＩＤである。ＵＰＦは、当該セッションの任意のダウンリンクデータを受信すると、パケットヘッダに当該第２ＱｏＳ  ＩＤを付与する。
【００８７】
上記ステップ１０２２は、前記セッションタイプ指示情報を前記ＵＥに送信し、前記ＵＥによって、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのアップリンクデータに対応するサービス品質ＩＤとするステップ１０２２２を含む。
【００８８】
ここで、ＳＭＦは、非構造化データ伝送へのセッションの利用を指示するセッションタイプ指示情報をＵＥに送信する。ＵＥにおいて、当該種類のセッションタイプに対しデフォルトになっているＱｏＳ  ＩＤ、すなわち第２ＱｏＳ  ＩＤが予め設定されている。ＵＥは、セッションタイプ指示情報に基づいて、セッションを非構造化データ伝送に用いると特定すると、セッションに対応する第２ＱｏＳ  ＩＤを取得し、それから第２ＱｏＳ  ＩＤをセッションのアップリンクデータに対応するサービス品質ＩＤとし、ネットワークで非構造化パケットのサービス品質制御が実現される。かつ後にＵＥは、当該第２ＱｏＳ  ＩＤに基づいて、対応するサービス品質のラジオベアラを選択してアップリンクデータを伝送することができるため、データのサービス品質を保証する。
【００８９】
ここで、ＵＥで予め設定されている非構造化データ伝送に利用されるセッションタイプに対応するＱｏＳ  ＩＤは、理論上、ＵＰＦで予め設定されている非構造化データ伝送に利用されるセッションタイプに対応するＱｏＳ  ＩＤと、同じく第２ＱｏＳ  ＩＤである。上述のように、第２ＱｏＳ  ＩＤもセッションレベルのサービス品質ＩＤに属し、ＵＥは、当該セッションの任意のアップリンクデータについて、当該第２ＱｏＳ  ＩＤに基づいて、対応するサービス品質のラジオベアラを選択して伝送する。
【００９０】
この場合、ＳＭＦは、非構造化データ伝送に利用されるセッションの確立に際し、セッションタイプをＵＰＦに提供する。ＵＰＦでは、当該種類のセッションタイプに対しデフォルトになっている第２ＱｏＳ  ＩＤが予め設定されている。ＵＰＦは、当該セッションの任意のダウンリンクデータを受信すると、パケットヘッダに当該第２ＱｏＳ  ＩＤを付与し、セッショントンネルを介してＡＮに送信する。ＡＮは、パケットヘッダのＱｏＳ  ＩＤに基づいて、対応するＱｏＳを提供するラジオベアラを選択して伝送し、データのサービス品質を保証する。ここで、ＳＭＦは、セッションの確立に際し、セッションタイプをＵＥに送信してもよい。ＵＥでも、当該種類のセッションタイプに対しデフォルトになっている第２ＱｏＳ  ＩＤが予め設定されている。ＵＥは、当該セッションの任意のアップリンクデータについて、当該第２ＱｏＳ  ＩＤに基づいて、対応するサービス品質のラジオベアラを選択して伝送し、データのサービス品質を保証する。
【００９１】
以下、本開示の実施例のサービス品質制御方法を応用して非構造化データ伝送を行う具体的な実現フローを例示して説明する。図３に示すように、当該フローは、以下のステップ３０１〜３０５を含む。
【００９２】
ステップ３０１において、ＵＥは、ＰＤＵ（ｐａｃｋｅｔ  ｄａｔａ  ｕｎｉｔ）セッション確立要求メッセージをＡＭＦに送信する。
【００９３】
ここで、ＵＥは、ＰＤＵセッション確立要求メッセージをＡＭＦに送信して、非構造化データ伝送用のＰＤＵセッションの確立を要求する。ここで、当該ＰＤＵセッション確立要求メッセージは、ＵＥとＡＭＦとの間のＮＡＳ（Ｎｏｎ−Ａｃｃｅｓｓ  Ｓｔｒａｔｕｍ）メッセージであり、ＡＮによってトランスペアレント伝送される。
【００９４】
ステップ３０２において、ＡＭＦは、ＰＤＵセッション確立要求メッセージが付帯されるＳＭ（Ｓｅｓｓｉｏｎ  Ｍａｎａｇｅｍｅｎｔ）要求メッセージをＳＭＦに送信する。
【００９５】
ここで、ＡＭＦは、ＵＥに対しＳＭＦを選択し、選択したＳＭＦに対し、ＰＤＵセッション確立要求メッセージが付帯されるＳＭ要求メッセージを送信する。
【００９６】
ステップ３０３において、ＳＭＦは、第１ＱｏＳ  ＩＤまたはセッションタイプ指示情報が付帯されるＮ４セッション確立／修正メッセージをＵＰＦに送信する。
【００９７】
ここで、ＳＭＦは、当該ＵＥに対し非構造化データ伝送に利用されるセッションの確立を特定すると、当該セッションに対し、当該セッションのサービス品質制御用の第１ＱｏＳ  ＩＤを割り当て、Ｎ４セッション確立／修正メッセージによって第１ＱｏＳ  ＩＤをＵＰＦに送信する。または、ＳＭＦは、非構造化データ伝送への当該セッションの利用を指示するセッションタイプ指示情報をＵＰＦに送信してもよく、ＵＰＦでは、当該種類のセッションタイプに対しデフォルトになっている第２ＱｏＳ  ＩＤが予め設定されている。第１ＱｏＳ  ＩＤ、第２ＱｏＳ  ＩＤは、たとえばＱＦＩ（ＱｏＳ  Ｆｌｏｗ  Ｉｄｅｎｔｉｔｙ）または５ＱＩなどである。
【００９８】
ステップ３０４において、ＳＭＦは、第１ＱｏＳ  ＩＤまたはセッションタイプ指示情報が含まれるＰＤＵセッション確立受け入れメッセージが付帯されるＳＭ返信メッセージをＡＭＦに送信する。
【００９９】
ここで、ＳＭＦは、ＳＭ返信メッセージでＰＤＵセッション確立受け入れメッセージをＡＭＦに送信する。ＰＤＵセッション確立受け入れメッセージには、当該セッションのサービス品質制御用の第１ＱｏＳ  ＩＤが含まれる。または、ＰＤＵセッション確立受け入れメッセージには、非構造化データ伝送への当該セッションの利用を指示するセッションタイプ指示情報が含まれる。ＵＥでは、当該種類のセッションタイプに対しデフォルトになっている第２ＱｏＳ  ＩＤが予め設定されている。
【０１００】
ステップ３０５において、ＡＭＦは、ＰＤＵセッション確立受け入れメッセージをＵＥに送信する。
【０１０１】
以上のステップによってＰＤＵセッションが正しく確立されると、ＵＰＦとＵＥの両方は、当該セッションのサービス品質制御用のＱｏＳ  ＩＤを取得し、非構造化データのサービス品質制御が実現される。後に当該セッションのダウンリンクデータがＵＰＦに達すると、ＵＰＦは、パケットヘッダに当該ＱｏＳ  ＩＤを付与し、セッショントンネルを介してＡＮに送信する。ＡＮは、パケットヘッダのＱｏＳ  ＩＤに基づいて、対応するＱｏＳを提供するラジオベアラを選択して伝送し、データのサービス品質を保証する。アップリンクデータに対し、ＵＥは、当該ＱｏＳ  ＩＤに基づいて、対応するＱｏＳを提供するラジオベアラを選択して伝送し、データのサービス品質を保証する。
【０１０２】
別の選択可能な実現形態として、上記ステップ１０１は、下記ステップ１０１３〜１０１４を含む。
【０１０３】
ステップ１０１３において、非構造化データ伝送に利用されるセッションをＵＥに対し確立する際に、非構造化データ伝送への前記セッションの利用を指示するセッションタイプ指示情報が付帯され、前記セッションに関するサービス品質ポリシー（ＱｏＳ  ｒｕｌｅ）要求メッセージをＰＣＦに送信する。
【０１０４】
ここで、ＳＭＦは、非構造化データ伝送に利用されるセッションをＵＥに対し確立する際に、ＱｏＳ  ｒｕｌｅをＰＣＦに要求し、非構造化データ伝送へのセッションの利用を指示するセッションタイプ指示情報をサービス品質ポリシー要求メッセージに付帯してＰＣＦに送信する。
【０１０５】
ステップ１０１４において、前記ＰＣＦから前記サービス品質ポリシー要求メッセージに基づいて返信された前記セッションに関するサービス品質ポリシーを取得する。前記サービス品質ポリシーには、完全一致ワイルドカードのストリームフィルタおよび前記セッションに対応する第３サービス品質ＩＤが含まれる。
【０１０６】
ここで、ＰＣＦは、完全一致ワイルドカードのストリームフィルタおよびセッションに対応する第３サービス品質ＩＤが含まれるＱｏＳ  ｒｕｌｅを非構造化データ伝送のセッションに対し確立し、後に目標ノードは、当該ＱｏＳ  ｒｕｌｅに基づいてセッションのサービス品質を特定することができる。
【０１０７】
上記ステップ１０２１は、前記サービス品質ポリシーをＵＰＦに送信し、前記ＵＰＦによって、前記サービス品質ポリシーに基づいて前記セッションのダウンリンクデータに対応するサービス品質ＩＤを特定し、前記サービス品質ＩＤを前記セッションのダウンリンクパケットのヘッダに追加するステップ１０２１３を含む。
【０１０８】
ここで、ＳＭＦは、ＱｏＳ  ｒｕｌｅをＵＰＦに送信し、ＵＰＦは、ＱｏＳ  ｒｕｌｅに基づいて、セッションのダウンリンクデータに対応するＱｏＳ  ＩＤを特定し、ＱｏＳ  ＩＤをセッションのダウンリンクパケットのヘッダに追加することができるため、ネットワークで非構造化パケットのサービス品質制御が実現される。ここで、ＱｏＳ  ｒｕｌｅのストリームフィルタが完全一致ワイルドカードであるため、ＵＰＦは、当該セッションのすべてのダウンリンクデータに対応するＱｏＳ  ＩＤがすべて第３ＱｏＳ  ＩＤであると特定し、受信した当該セッションのすべてのダウンリンクパケットのヘッダに当該第３ＱｏＳ  ＩＤを追加することができる。ここで、ＵＰＦは、セッションのダウンリンクパケットのヘッダを第３ＱｏＳ  ＩＤを追加し、後にダウンリンクデータをＡＮに送信することによって、ＡＮは、パケットヘッダの第３ＱｏＳ  ＩＤに基づいて、対応するサービス品質のラジオベアラを選択してダウンリンクデータを伝送することができるため、データのサービス品質を保証する。
【０１０９】
上記ステップ１０２２は、前記サービス品質ポリシーを前記ＵＥに送信し、前記ＵＥによって、前記サービス品質ポリシーに基づいて前記セッションのアップリンクデータに対応するサービス品質ＩＤを特定するステップ１０２２３を含む。
【０１１０】
ここで、ＳＭＦは、ＱｏＳ  ｒｕｌｅをＵＥに送信し、ＵＥは、ＱｏＳ  ｒｕｌｅに基づいて、セッションのアップリンクデータに対応するＱｏＳ  ＩＤを特定することができるため、ネットワークで非構造化パケットのサービス品質制御が実現される。ここで、ＱｏＳ  ｒｕｌｅのストリームフィルタが完全一致ワイルドカードであるため、ＵＥは、当該セッションのすべてのアップリンクデータに対応するＱｏＳ  ＩＤがすべて第３ＱｏＳ  ＩＤであると特定できる。後にＵＥは、当該第３ＱｏＳ  ＩＤに基づいて、対応するサービス品質のラジオベアラを選択してアップリンクデータを伝送することができるため、データのサービス品質を保証する。
【０１１１】
この場合、ＳＭＦは、セッション確立プロセスにおいて、セッションタイプをＰＣＦに送信し、ＱｏＳ  ｒｕｌｅを要求する。非構造化データ伝送に利用されるセッションに対し、ＰＣＦは、完全一致ワイルドカードのストリームフィルタおよび第３ＱｏＳ  ＩＤが含まれるＱｏＳ  ｒｕｌｅを作成してＳＭＦに送信する。ＳＭＦは、さらに当該ＱｏＳ  ｒｕｌｅをＵＰＦとＵＥに送信する。後に、ＵＰＦは、当該セッションの任意のダウンリンクデータを受信すると、当該ＱｏＳ  ｒｕｌｅに基づいて整合を行う。当該ＱｏＳ  ｒｕｌｅのストリームフィルタが完全一致ワイルドカードであるため、ＵＰＦは、当該セッションの任意のダウンリンクデータを受信すると、このＱｏＳ  ｒｕｌｅで指示される第３ＱｏＳ  ＩＤをパケットヘッダに付与し、セッショントンネルを介してＡＮに送信する。ＡＮは、パケットヘッダのＱｏＳ  ＩＤに基づいて、対応するＱｏＳを提供するラジオベアラを選択して伝送し、データのサービス品質を保証する。アップリンクデータに対し、ＵＥは、ＱｏＳ  ｒｕｌｅに基づいて整合を行う。当該ＱｏＳ  ｒｕｌｅのストリームフィルタが完全一致ワイルドカードであるため、ＵＥは、当該セッションのすべてのアップリンクデータに対し、当該ＱｏＳ  ｒｕｌｅで指示される第３ＱｏＳ  ＩＤに基づいて、対応するＱｏＳのラジオベアラを選択して伝送する。
【０１１２】
以下、本開示の実施例のサービス品質制御方法を応用して非構造化データ伝送を行う別の具体的な実現フローを例示して説明する。図４に示すように、当該フローは、以下のステップ４０１〜４０７を含む。
【０１１３】
ステップ４０１において、ＵＥは、ＰＤＵセッション確立要求メッセージをＡＭＦに送信する。
【０１１４】
ここで、ＵＥは、ＰＤＵセッション確立要求メッセージをＡＭＦに送信して、非構造化データ伝送用のＰＤＵセッションの確立を要求する。ここで、当該ＰＤＵセッション確立要求メッセージは、ＵＥとＡＭＦとの間のＮＡＳメッセージであり、ＡＮによってトランスペアレント伝送される。
【０１１５】
ステップ４０２において、ＡＭＦは、ＰＤＵセッション確立要求メッセージが付帯されるＳＭ要求メッセージをＳＭＦに送信する。
【０１１６】
ここで、ＡＭＦは、ＵＥに対しＳＭＦを選択し、選択したＳＭＦに対し、ＰＤＵセッション確立要求メッセージが付帯されるＳＭ要求メッセージを送信する。
【０１１７】
ステップ４０３において、ＳＭＦは、セッションタイプ指示情報が付帯されるＱｏＳ  ｒｕｌｅ要求メッセージをＰＣＦに送信する。
【０１１８】
ここで、ＳＭＦは、当該ＵＥに対し非構造化データ伝送に利用されるセッションの確立を特定すると、ＱｏＳ  ｒｕｌｅをＰＣＦに要求し、非構造化データ伝送へのセッションの利用を指示するセッションタイプ指示情報をＱｏＳ  ｒｕｌｅ要求メッセージに付帯してＰＣＦに送信する。
【０１１９】
ステップ４０４において、ＰＣＦは、完全一致ワイルドカードのストリームフィルタおよび第３ＱｏＳ  ＩＤが含まれるＱｏＳ  ｒｕｌｅをＳＭＦに返信する。
【０１２０】
ここで、ＰＣＦは、完全一致ワイルドカードのストリームフィルタおよび第３ＱｏＳ  ＩＤが含まれるＱｏＳ  ｒｕｌｅを当該セッションに対し特定する。第３ＱｏＳ  ＩＤは、たとえばＱＦＩまたは５ＱＩなどである。ＰＣＦは、当該ＱｏＳ  ｒｕｌｅをＳＭＦに送信する。
【０１２１】
ステップ４０５において、ＳＭＦは、ＱｏＳ  ｒｕｌｅが付帯されるＮ４セッション確立／修正メッセージをＵＰＦに送信する。
【０１２２】
ここで、ＳＭＦは、Ｎ４セッション確立／修正メッセージによってこのＱｏＳ  ｒｕｌｅをＵＰＦに送信する。後に、ＵＰＦは、当該セッションの任意のダウンリンクデータを受信すると、当該ＱｏＳ  ｒｕｌｅに基づいて整合を行う。当該ＱｏＳ  ｒｕｌｅのストリームフィルタが完全一致ワイルドカードであるため、ＵＰＦは、当該ＱｏＳ  ｒｕｌｅに指示される第３ＱｏＳ  ＩＤを、受信した当該セッションのすべてのダウンリンクパケットのヘッダに付与する。
【０１２３】
ステップ４０６において、ＳＭＦは、ＱｏＳ  ｒｕｌｅが含まれるＰＤＵセッション確立受け入れメッセージが付帯されるＳＭ返信メッセージをＡＭＦに送信する。
【０１２４】
ここで、ＳＭＦは、ＳＭ返信メッセージでＰＤＵセッション確立受け入れメッセージをＡＭＦに送信する。ＰＤＵセッション確立受け入れメッセージには、当該ＱｏＳ  ｒｕｌｅが含まれる。
【０１２５】
ステップ４０７において、ＡＭＦは、ＰＤＵセッション確立受け入れメッセージをＵＥに送信する。
【０１２６】
ここで、ＡＭＦは、当該ＱｏＳ  ｒｕｌｅが含まれるＰＤＵセッション確立受け入れメッセージをＵＥに送信する。後に、ＵＥは、当該セッションの任意のアップリンクデータを送信する際に、当該ＱｏＳ  ｒｕｌｅに基づいて整合を行う。当該ＱｏＳ  ｒｕｌｅのストリームフィルタが完全一致ワイルドカードであるため、ＵＥは、すべてのアップリンクデータに対し、当該ＱｏＳ  ｒｕｌｅで指示される第３ＱｏＳ  ＩＤに基づいて、対応するＱｏＳのラジオベアラを選択して伝送する。
【０１２７】
以上のステップによってＰＤＵセッションが正しく確立されると、ＵＰＦとＵＥの両方は、当該セッションのサービス品質制御用のＱｏＳ  ｒｕｌｅを取得し、当該ＱｏＳ  ｒｕｌｅに基づいて、当該セッション用のＱｏＳ  ＩＤを特定することができるため、非構造化データのサービス品質制御が実現される。後に当該セッションのダウンリンクデータがＵＰＦに達すると、ＵＰＦは、ＱｏＳ  ｒｕｌｅに基づいて、当該ＱｏＳ  ｒｕｌｅで指示されるＱｏＳ  ＩＤをパケットヘッダに付与し、セッショントンネルを介してＡＮに送信する。ＡＮは、パケットヘッダのＱｏＳ  ＩＤに基づいて、対応するＱｏＳを提供するラジオベアラを選択して伝送し、データのサービス品質を保証する。アップリンクデータに対し、ＵＥは、ＱｏＳ  ｒｕｌｅで指示されるＱｏＳ  ＩＤに基づいて、対応するＱｏＳを提供するラジオベアラを選択して伝送し、データのサービス品質を保証する。
【０１２８】
選択可能に、前記サービス品質ＩＤは、ＱＦＩまたは５ＱＩなどである。
【０１２９】
選択可能に、上記ステップ１０２は、前記指示情報をＵＰＦとＡＮに送信し、前記ＵＰＦによって、前記指示情報に基づいて前記セッションのダウンリンクデータを直接前記ＡＮに送信し、前記ＡＮによって、前記指示情報に基づいて前記セッションのダウンリンクデータに対応するサービス品質を特定するステップ１０２３を含む。
【０１３０】
ここで、ＳＭＦは、指示情報をＵＰＦとＡＮに送信し、ＵＰＦによって、パケットヘッダにサービス品質ＩＤを付与する必要がなく、当該指示情報に基づいてセッションのダウンリンクデータを直接ＡＮに送信し、ＡＮによって、セッションのダウンリンクデータに対応するサービス品質を特定して、ネットワークで非構造化パケットのサービス品質制御が実現される。
【０１３１】
選択可能に、上記ステップ１０２は、前記指示情報を前記ＵＥに送信し、前記ＵＥによって、前記指示情報に基づいて前記セッションのアップリンクデータに対応するサービス品質を特定するステップ１０２４を含む。
【０１３２】
ここで、ＳＭＦは、指示情報をＵＥに送信し、ＵＥによって、当該指示情報に基づいてセッションのアップリンクデータに対応するサービス品質を特定することができるため、ネットワークで非構造化パケットのサービス品質制御が実現される。
【０１３３】
ここで、上記ステップ１０２は、ステップ１０２３のみまたはステップ１０２４のみを含んでもよく、ステップ１０２３とステップ１０２４を同時に含んでもよい。本開示の実施例において、これについて限定しないことは、当業者が理解できる。
【０１３４】
選択可能な実現形態として、上記ステップ１０１は、非構造化データ伝送に利用されるセッションをＵＥに対し確立する際に、非構造化データ伝送への前記セッションの利用を指示するセッションタイプ指示情報を取得するステップ１０１５を含む。
【０１３５】
ここで、ＳＭＦは、非構造化データ伝送に利用されるセッションをＵＥに対し確立する際に、非構造化データ伝送への当該セッションの利用を指示するセッションタイプ指示情報を取得することができる。後に目標ノードは、当該セッションタイプ指示情報に基づいてセッションのサービス品質を特定することができる。
【０１３６】
上記ステップ１０２３は、前記セッションタイプ指示情報をＵＰＦとＡＮに送信し、前記ＵＰＦによって、前記セッションタイプ指示情報に基づいて、前記セッションのダウンリンクデータを直接前記ＡＮに送信し、前記ＡＮによって、前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定するステップ１０２３１を含む。
【０１３７】
ここで、ＳＭＦは、非構造化データ伝送へのセッションの利用を指示するセッションタイプ指示情報をＵＰＦとＡＮに送信する。ＵＰＦは、セッションタイプ指示情報に基づいて、セッションが非構造化データ伝送に利用されると特定すると、パケットヘッダにサービス品質ＩＤを付与する必要がなく、直接当該セッションのダウンリンクデータをＡＮに送信する。ＡＮでは、非構造化データ伝送に利用されるセッションのタイプに対応するサービス品質のラジオベアラが予め設定されている。ＡＮは、ＵＰＦから送信されたダウンリンクデータを受信しかつセッションが非構造化データ伝送に利用されると特定すると、当該セッションに対応するＱｏＳのラジオベアラを取得してダウンリンクデータを伝送し、ネットワークで非構造化パケットのサービス品質制御が実現され、かつデータのサービス品質を保証する。
【０１３８】
上記ステップ１０２４は、前記セッションタイプ指示情報を前記ＵＥに送信し、前記ＵＥによって、前記セッションタイプ指示情報および所定の非構造化データ伝送に利用されるセッションのタイプに対応するサービス品質のラジオベアラに基づいて前記セッションのアップリンクデータに対応するサービス品質のラジオベアラを特定するステップ１０２４１を含む。
【０１３９】
ここで、ＳＭＦは、非構造化データ伝送へのセッションの利用を指示するセッションタイプ指示情報をＵＥに送信する。ＵＥでは、非構造化データ伝送に利用されるセッションのタイプに対応するサービス品質のラジオベアラが予め設定されている。ＵＥは、セッションタイプ指示情報に基づいてセッションが非構造化データ伝送に利用されると特定すると、当該セッションに対応するＱｏＳのラジオベアラを取得してアップリンクデータを伝送し、ネットワークで非構造化パケットのサービス品質制御が実現され、かつデータのサービス品質を保証する。
【０１４０】
この場合、ＳＭＦは、非構造化データ伝送に利用されるセッションの確立に際し、セッションタイプをＵＰＦに送信し、ＡＮにも送信する。ＡＮでは、当該種類のセッションタイプに対しデフォルトになっているサービス品質のラジオベアラが予め設定されている。後にＵＰＦは、当該セッションの任意のダウンリンクデータを受信すると、ＱｏＳ  ＩＤをパケットヘッダに付与する必要がなく、受信したパケットを直接セッショントンネルを介してＡＮに送信する。ＡＮは、受信したパケットを、直接デフォルトになっているサービス品質のラジオベアラでＵＥに送信して、データのサービス品質を保証する。ここで、ＳＭＦは、セッションの確立に際しセッションタイプをＵＥに送信してもよい。ＵＥでは、当該種類のセッションタイプに対しデフォルトになっているサービス品質のラジオベアラが予め設定されている。アップリンクデータに対し、ＵＥは、統一的に当該セッションのデフォルトになっているラジオベアラで伝送し、データのサービス品質を保証する。
【０１４１】
以下、本開示の実施例のサービス品質制御方法を応用して非構造化データ伝送を行う別の具体的な実現フローを例示して説明する。図５に示すように、当該フローは、以下のステップ５０１〜５０６を含む。
【０１４２】
ステップ５０１において、ＵＥは、ＰＤＵセッション確立要求メッセージをＡＭＦに送信する。
【０１４３】
ここで、ＵＥは、ＰＤＵセッション確立要求メッセージをＡＭＦに送信して、非構造化データ伝送用のＰＤＵセッションの確立を要求する。ここで、当該ＰＤＵセッション確立要求メッセージは、ＵＥとＡＭＦとの間のＮＡＳメッセージであり、ＡＮによってトランスペアレント伝送される。
【０１４４】
ステップ５０２において、ＡＭＦは、ＰＤＵセッション確立要求メッセージが付帯されるＳＭ要求メッセージをＳＭＦに送信する。
【０１４５】
ここで、ＡＭＦは、ＵＥに対しＳＭＦを選択し、選択したＳＭＦに対し、ＰＤＵセッション確立要求メッセージが付帯されるＳＭ要求メッセージを送信する。
【０１４６】
ステップ５０３において、ＳＭＦは、セッションタイプ指示情報が付帯されるＮ４セッション確立／修正メッセージをＵＰＦに送信する。
【０１４７】
ここで、ＳＭＦは、当該ＵＥに対し非構造化データ伝送に利用されるセッションの確立を特定すると、Ｎ４セッション確立／修正メッセージによって、非構造化データ伝送への当該セッションの利用を指示するセッションタイプ指示情報をＵＰＦに送信する。
【０１４８】
ステップ５０４において、ＳＭＦは、ＰＤＵセッション確立受け入れメッセージとＮ２  ＳＭメッセージが付帯されるＳＭ返信メッセージをＡＭＦに送信する。ＰＤＵセッション確立受け入れメッセージとＮ２  ＳＭメッセージには、セッションタイプ指示情報が含まれる。
【０１４９】
ここで、ＳＭＦは、ＳＭ返信メッセージでＰＤＵセッション確立受け入れメッセージをＡＭＦに送信する。ＰＤＵセッション確立受け入れメッセージには、当該セッションタイプ指示情報が含まれる。しかも、ＳＭ返信メッセージには、ＡＮに送信されるＮ２  ＳＭメッセージが含まれる。Ｎ２  ＳＭメッセージには、当該セッションタイプ指示情報が含まれる。
【０１５０】
ステップ５０５において、ＡＭＦは、Ｎ２  ＳＭメッセージをＡＮに送信する。
【０１５１】
ステップ５０６において、ＡＭＦは、ＰＤＵセッション確立受け入れメッセージをＵＥに送信する。
【０１５２】
以上のステップによってＰＤＵセッションが正しく確立されると、ＵＰＦ、ＡＮおよびＵＥは、当該セッションのタイプを取得し、当該セッションが非構造化データ伝送に利用されると特定する。後に当該セッションのダウンリンクデータがＵＰＦに達すると、ＵＰＦは、ＱｏＳ  ＩＤをパケットヘッダに付与する必要がなく、受信したパケットを直接セッショントンネルを介してＡＮに伝送する。ＡＮは、受信したパケットを直接デフォルトになっているラジオベアラでＵＥに送信し、当該ＵＥに提供するサービス品質は、当該セッションのデフォルトになっているラジオベアラで提供するサービス品質である。アップリンクデータに対し、ＵＥは、統一的にセッションのデフォルトになっているラジオベアラで伝送する。よって、ネットワークで非構造化パケットのサービス品質制御が実現され、かつデータのサービス品質を保証する。
【０１５３】
本開示の実施例のサービス品質制御方法において、目標ノードは、ＳＭＦから送信された指示情報に基づいて、非構造化データ伝送に利用されるセッションのサービス品質を特定することができる。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０１５４】
本開示の一部実施例において、図６に示すように、ＳＭＦに応用されるサービス品質制御装置を提供する。
当該装置は、非構造化データ伝送に利用されるセッションをユーザ機器ＵＥに対し確立する際に、前記セッションのサービス品質に関する指示情報を特定する第１特定モジュール６０１と、前記指示情報を目標ノードに送信して、前記セッションに対応するサービス品質を、前記目標ノードによって前記指示情報に基づいて特定される第１送信モジュール６０２とを含む。
【０１５５】
本開示の実施例のサービス品質制御装置において、目標ノードは、ＳＭＦから送信された指示情報に基づいて、非構造化データ伝送に利用されるセッションのサービス品質を特定することができる。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０１５６】
選択可能に、前記第１送信モジュール６０２は、第１送信サブモジュールおよび／または第２送信サブモジュールを含む。第１送信サブモジュールは、前記指示情報をＵＰＦに送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加する。第２送信サブモジュールは、前記指示情報を前記ＵＥに送信し、前記ＵＥによって、前記セッションのアップリンクデータに対応するサービス品質ＩＤを前記指示情報に基づいて特定する。
【０１５７】
選択可能に、前記第１特定モジュール６０１は、非構造化データ伝送に利用されるセッションをＵＥに対し確立する際に、前記セッションに対し、対応する第１サービス品質ＩＤを割り当てる割当サブモジュールを含む。前記第１送信サブモジュールは、前記第１サービス品質ＩＤをＵＰＦに送信する第１送信ユニットを含む。前記ＵＰＦによって、前記第１サービス品質ＩＤを、前記セッションのダウンリンクデータに対応するサービス品質ＩＤとし、前記第１サービス品質ＩＤを前記セッションのダウンリンクパケットのヘッダに追加する。前記第２送信サブモジュールは、前記第１サービス品質ＩＤを前記ＵＥに送信する第２送信ユニットを含む。前記ＵＥによって、前記第１サービス品質ＩＤを前記セッションのアップリンクデータに対応するサービス品質ＩＤとする。
【０１５８】
選択可能に、前記第１特定モジュール６０１は、非構造化データ伝送に利用されるセッションをＵＥに対し確立する際に、非構造化データ伝送への前記セッションの利用を指示するセッションタイプ指示情報を取得する第１取得サブモジュールを含む。前記第１送信サブモジュールは、前記セッションタイプ指示情報をＵＰＦに送信する第３送信ユニットを含む。前記ＵＰＦによって、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのダウンリンクデータに対応するサービス品質ＩＤとし、前記セッションのダウンリンクパケットのヘッダに前記第２サービス品質ＩＤを追加する。前記第２送信サブモジュールは、前記セッションタイプ指示情報を前記ＵＥに送信する第４送信ユニットを含む。前記ＵＥによって、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのアップリンクデータに対応するサービス品質ＩＤとする。
【０１５９】
選択可能に、前記第１特定モジュール６０１は、非構造化データ伝送に利用されるセッションをＵＥに対し確立する際に、非構造化データ伝送への前記セッションの利用を指示するセッションタイプ指示情報が付帯され、前記セッションに関するサービス品質ポリシー要求メッセージをＰＣＦに送信する第３送信サブモジュールと、完全一致ワイルドカードのストリームフィルタおよび前記セッションに対応する第３サービス品質ＩＤが含まれ、前記ＰＣＦから前記サービス品質ポリシー要求メッセージに基づいて返信された前記セッションに関するサービス品質ポリシーを取得する第２取得サブモジュールとを含む。前記第１送信サブモジュールは、前記サービス品質ポリシーをＵＰＦに送信する第５送信ユニットを含む。前記ＵＰＦによって、前記サービス品質ポリシーに基づいて前記セッションのダウンリンクデータに対応するサービス品質ＩＤを特定し、前記サービス品質ＩＤを前記セッションのダウンリンクパケットのヘッダに追加する。前記第２送信サブモジュールは、前記サービス品質ポリシーを前記ＵＥに送信する第６送信ユニットを含む。前記ＵＥによって、前記サービス品質ポリシーに基づいて前記セッションのアップリンクデータに対応するサービス品質ＩＤを特定する。
【０１６０】
選択可能に、前記第１送信モジュール６０２は、第４送信サブモジュールおよび／または第５送信サブモジュールを含む。第４送信サブモジュールは、前記指示情報をＵＰＦとＡＮに送信し、前記ＵＰＦによって、前記指示情報に基づいて前記セッションのダウンリンクデータを直接前記ＡＮに送信し、前記ＡＮによって、前記指示情報に基づいて前記セッションのダウンリンクデータに対応するサービス品質を特定する。第５送信サブモジュールは、前記指示情報を前記ＵＥに送信し、前記ＵＥによって、前記指示情報に基づいて前記セッションのアップリンクデータに対応するサービス品質を特定する。
【０１６１】
選択可能に、前記第１特定モジュール６０１は、非構造化データ伝送に利用されるセッションをＵＥに対し確立する際に、非構造化データ伝送への前記セッションの利用を指示するセッションタイプ指示情報を取得する第３取得サブモジュールを含む。前記第４送信サブモジュールは、前記セッションタイプ指示情報をＵＰＦとＡＮに送信する第７送信ユニットを含む。前記ＵＰＦによって、前記セッションタイプ指示情報に基づいて、前記セッションのダウンリンクデータを直接前記ＡＮに送信し、前記ＡＮによって、前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定する。前記第５送信サブモジュールは、前記セッションタイプ指示情報を前記ＵＥに送信する第８送信ユニットを含む。前記ＵＥによって、前記セッションタイプ指示情報および所定の非構造化データ伝送に利用されるセッションのタイプに対応するサービス品質のラジオベアラに基づいて前記セッションのアップリンクデータに対応するサービス品質のラジオベアラを特定する。
【０１６２】
選択可能に、前記サービス品質ＩＤは、サービス品質データストリームＩＤおよびサービス品質等級ＩＤのうちの少なくとも一つである。
【０１６３】
本開示の実施例のサービス品質制御装置において、目標ノードは、ＳＭＦから送信された指示情報に基づいて、非構造化データ伝送に利用されるセッションのサービス品質を特定することができる。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０１６４】
なお、当該サービス品質制御装置は、上記サービス品質制御方法に対応する装置である。上記方法実施例のすべての実施形態は、すべて当該装置の実施例に適用可能であり、同一または類似な技術効果を奏することもできる。
【０１６５】
本開示の一部の実施例において、図７に示すように、第１メモリ７２０と、第１プロセッサ７００と、第１プロセッサ７００による制御でデータを送受信する第１トランシーバ７１０と、バスインタフェースと、第１メモリ７２０に記憶されて第１プロセッサ７００で実行可能なコンピュータプログラムを含むＳＭＦを提供する。前記第１プロセッサ７００は、第１メモリ７２０からプログラムを読み取ることによって、以下のプロセスを実行する。
非構造化データ伝送に利用されるセッションをユーザ機器ＵＥに対し確立する際に、前記セッションのサービス品質に関する指示情報を特定する。
第１トランシーバ７１０を介して前記指示情報を目標ノードに送信し、前記目標ノードによって、前記セッションに対応するサービス品質を前記指示情報に基づいて特定する。
第１トランシーバ７１０は、第１プロセッサ７００の制御によってデータを受送信する。
【０１６６】
ここで、図７において、バスアーキテクチャは、任意数の相互接続するバスとブリッジを含み、具体的に、第１プロセッサ７００をはじめとする１つ又は複数のプロセッサと第１メモリ７２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第１トランシーバ７１０は、複数の部品であってもよく、即ち送信機と受信機を含み、伝送媒体でほかの各種類の装置と通信するユニットとして提供される。第１プロセッサ７００は、バスアーキテクチャと通常の処理を管理する。第１メモリ７２０は、第１プロセッサ７００による操作実行に使用されるデータを記憶できる。
【０１６７】
第１プロセッサ７００は、さらに、前記指示情報をＵＰＦに送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加し、および／または、前記指示情報を前記ＵＥに送信し、前記ＵＥによって、前記セッションのアップリンクデータに対応するサービス品質ＩＤを前記指示情報に基づいて特定する。
【０１６８】
第１プロセッサ７００は、さらに、非構造化データ伝送に利用されるセッションをＵＥに対し確立する際に、前記セッションに対し、対応する第１サービス品質ＩＤを割り当てる。第１プロセッサ７００は、さらに、前記第１サービス品質ＩＤをＵＰＦに送信し、前記ＵＰＦによって、前記第１サービス品質ＩＤを前記セッションのダウンリンクデータに対応するサービス品質ＩＤとし、前記第１サービス品質ＩＤを前記セッションのダウンリンクパケットのヘッダに追加する。第１プロセッサ７００は、さらに、前記第１サービス品質ＩＤを前記ＵＥに送信し、前記ＵＥによって、前記第１サービス品質ＩＤを前記セッションのアップリンクデータに対応するサービス品質ＩＤとする。
【０１６９】
第１プロセッサ７００は、さらに、非構造化データ伝送に利用されるセッションをＵＥに対し確立する際に、非構造化データ伝送への前記セッションの利用を指示するセッションタイプ指示情報を取得する。第１プロセッサ７００は、さらに、前記セッションタイプ指示情報をＵＰＦに送信し、前記ＵＰＦによって、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのダウンリンクデータに対応するサービス品質ＩＤとし、前記セッションのダウンリンクパケットのヘッダに前記第２サービス品質ＩＤを追加する。第１プロセッサ７００は、さらに、前記セッションタイプ指示情報を前記ＵＥに送信し、前記ＵＥによって、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのアップリンクデータに対応するサービス品質ＩＤとする。
【０１７０】
第１プロセッサ７００は、さらに、非構造化データ伝送に利用されるセッションをＵＥに対し確立する際に、非構造化データ伝送への前記セッションの利用を指示するセッションタイプ指示情報が付帯され、前記セッションに関するサービス品質ポリシー要求メッセージをＰＣＦに送信する。第１プロセッサ７００は、さらに、完全一致ワイルドカードのストリームフィルタおよび前記セッションに対応する第３サービス品質ＩＤが含まれ、前記ＰＣＦから前記サービス品質ポリシー要求メッセージに基づいて返信された前記セッションに関するサービス品質ポリシーを取得する。第１プロセッサ７００は、さらに、前記サービス品質ポリシーをＵＰＦに送信し、前記ＵＰＦによって、前記サービス品質ポリシーに基づいて前記セッションのダウンリンクデータに対応するサービス品質ＩＤを特定し、前記サービス品質ＩＤを前記セッションのダウンリンクパケットのヘッダに追加する。第１プロセッサ７００は、さらに、前記サービス品質ポリシーを前記ＵＥに送信し、前記ＵＥによって、前記サービス品質ポリシーに基づいて前記セッションのアップリンクデータに対応するサービス品質ＩＤを特定する。
【０１７１】
第１プロセッサ７００は、さらに、前記指示情報をＵＰＦとＡＮに送信し、前記ＵＰＦによって、前記指示情報に基づいて前記セッションのダウンリンクデータを直接前記ＡＮに送信し、前記ＡＮによって、前記指示情報に基づいて前記セッションのダウンリンクデータに対応するサービス品質を特定し、および／または、前記指示情報を前記ＵＥに送信し、前記ＵＥによって、前記指示情報に基づいて前記セッションのアップリンクデータに対応するサービス品質を特定する。
【０１７２】
第１プロセッサ７００は、さらに、非構造化データ伝送に利用されるセッションをＵＥに対し確立する際に、非構造化データ伝送への前記セッションの利用を指示するセッションタイプ指示情報を取得する。第１プロセッサ７００は、さらに、前記セッションタイプ指示情報をＵＰＦとＡＮに送信し、前記ＵＰＦによって、前記セッションタイプ指示情報に基づいて、前記セッションのダウンリンクデータを直接前記ＡＮに送信し、前記ＡＮによって、前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定する。第１プロセッサ７００は、さらに、前記セッションタイプ指示情報を前記ＵＥに送信し、前記ＵＥによって、前記セッションタイプ指示情報および所定の非構造化データ伝送に利用されるセッションのタイプに対応するサービス品質のラジオベアラに基づいて前記セッションのアップリンクデータに対応するサービス品質のラジオベアラを特定する。
【０１７３】
前記サービス品質ＩＤは、サービス品質データストリームＩＤおよびサービス品質等級ＩＤのうちの少なくとも一つである。
【０１７４】
本開示の一部の実施例において、コンピュータプログラムが記憶されているコンピュータ読み取り可能な記憶媒体を提供し、当該プログラムがプロセッサによって実行されると、以下のステップが実現される。
非構造化データ伝送に利用されるセッションをユーザ機器ＵＥに対し確立する際に、前記セッションのサービス品質に関する指示情報を特定する。
前記指示情報を目標ノードに送信し、前記目標ノードによって、前記セッションに対応するサービス品質を前記指示情報に基づいて特定する。
【０１７５】
本開示の一部の実施例において、図８に示すように、ＵＰＦに応用されるサービス品質制御方法を提供する。
当該方法において、ＳＭＦから非構造化データ伝送に利用されるセッションをユーザ機器ＵＥに対し確立する際に送信され、前記セッションのサービス品質に関する指示情報を受信するステップ８０１と、前記指示情報に基づいて、前記セッションのダウンリンクデータに対応するサービス品質を特定するステップ８０２とを含む。
【０１７６】
本開示の実施例のサービス品質制御方法において、ＵＰＦは、ＳＭＦから非構造化データ伝送に利用されるセッションをＵＥに対し確立する際に送信され、セッションのサービス品質に関する指示情報を受信し、指示情報に基づいて、セッションのダウンリンクデータに対応するサービス品質を特定することができる。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０１７７】
選択可能に、上記ステップ８０２は、前記指示情報に基づいて、前記セッションのダウンリンクデータに対応するサービス品質ＩＤを特定し、前記セッションのダウンリンクパケットのヘッダに前記サービス品質ＩＤを追加するステップ８０２１を含む。
【０１７８】
この場合、ＵＰＦは、指示情報に基づいて、セッションのダウンリンクデータに対応するＱｏＳ  ＩＤを特定し、セッションのダウンリンクパケットのヘッダにＱｏＳ  ＩＤを追加することができるため、ネットワークで非構造化パケットのサービス品質制御が実現される。かつＵＰＦは、セッションのダウンリンクパケットのヘッダに当該ＱｏＳ  ＩＤを追加し、後にダウンリンクデータをＡＮに送信することによって、ＡＮは、パケットヘッダのＱｏＳ  ＩＤに基づいて、対応するサービス品質のラジオベアラを選択してダウンリンクデータを伝送することができるため、データのサービス品質が保証される。
【０１７９】
選択可能に、上記ステップ８０１は、前記ＳＭＦから非構造化データ伝送に利用されるセッションをＵＥに対し確立する際に前記セッションに割り当てられたサービス品質ＩＤである第１サービス品質ＩＤを、前記ＳＭＦから受信するステップ８０１１を含む。
【０１８０】
上記ステップ８０２１は、前記第１サービス品質ＩＤを、前記セッションのダウンリンクデータに対応するサービス品質ＩＤとし、前記セッションのダウンリンクパケットのヘッダに前記第１サービス品質ＩＤを追加するステップ８０２１１を含む。
【０１８１】
この場合、ＳＭＦは、非構造化データ伝送に利用されるセッションをＵＥに対し確立する際に、セッションに対し、対応する第１ＱｏＳ  ＩＤを割り当てる。ＳＭＦは、第１ＱｏＳ  ＩＤをＵＰＦに送信する。ＵＰＦは、直接第１ＱｏＳ  ＩＤを、セッションのダウンリンクデータに対応するサービス品質ＩＤとし、セッションのダウンリンクパケットのヘッダに当該第１ＱｏＳ  ＩＤを追加することができるため、ネットワークで非構造化パケットのサービス品質制御が実現される。かつＵＰＦは、セッションのダウンリンクパケットのヘッダに第１ＱｏＳ  ＩＤを追加し、後にダウンリンクデータをＡＮに送信することによって、ＡＮは、パケットヘッダの第１ＱｏＳ  ＩＤに基づいて、対応するサービス品質のラジオベアラを選択してダウンリンクデータを伝送することができるため、データのサービス品質が保証される。
【０１８２】
または、上記ステップ８０１は、非構造化データ伝送への前記セッションの利用を指示するセッションタイプ指示情報を、前記ＳＭＦから受信するステップ８０１２を含む。
【０１８３】
上記ステップ８０２１は、前記セッションタイプ指示情報および所定の非構造化データ伝送に利用されるセッションのタイプに対応するサービス品質ＩＤに基づいて、前記セッションに対応する第２サービス品質ＩＤを取得するステップ８０２１２と、前記第２サービス品質ＩＤを前記セッションのダウンリンクデータに対応するサービス品質ＩＤとし、前記セッションのダウンリンクパケットのヘッダに前記第２サービス品質ＩＤを追加するステップ８０２１３とを含む。
【０１８４】
この場合、ＳＭＦは、非構造化データ伝送に利用されるセッションをＵＥに対し確立する際に、非構造化データ伝送への当該セッションの利用を指示するセッションタイプ指示情報を取得し、当該セッションタイプ指示情報をＵＰＦに送信する。ＵＰＦでは、当該種類のセッションタイプに対しデフォルトになっているＱｏＳ  ＩＤ、すなわち第２ＱｏＳ  ＩＤが予め設定されている。ＵＰＦは、セッションタイプ指示情報に基づいてセッションが非構造化データ伝送に利用されると特定すると、セッションに対応する第２ＱｏＳ  ＩＤを取得し、それから第２ＱｏＳ  ＩＤを、セッションのダウンリンクデータに対応するサービス品質ＩＤとし、セッションのダウンリンクパケットのヘッダに当該第２ＱｏＳ  ＩＤを追加することによって、ネットワークで非構造化パケットのサービス品質制御が実現される。
【０１８５】
ここで、ＵＰＦは、セッションのダウンリンクパケットのヘッダに第２ＱｏＳ  ＩＤを追加し、後にダウンリンクデータをＡＮに送信することによって、ＡＮは、パケットヘッダの第２ＱｏＳ  ＩＤに基づいて、対応するサービス品質のラジオベアラを選択してダウンリンクデータを伝送することができるため、データのサービス品質が保証される。
【０１８６】
または、上記ステップ８０１は、完全一致ワイルドカードのストリームフィルタおよび前記セッションに対応する第３サービス品質ＩＤが含まれるサービス品質ポリシーを前記ＳＭＦから受信するステップ８０１３を含む。前記サービス品質ポリシーは、前記ＳＭＦから非構造化データ伝送に利用されるセッションをＵＥに対し確立する際に、前記セッションに関するサービス品質ポリシー要求メッセージをＰＣＦに送信した後に取得され、前記ＰＣＦから前記サービス品質ポリシー要求メッセージに基づいて返信された前記セッションに対応するサービス品質ポリシーである。前記サービス品質ポリシー要求メッセージには、非構造化データ伝送への前記セッションの利用を指示するセッションタイプ指示情報が付帯される。
【０１８７】
上記ステップ８０２１は、前記サービス品質ポリシーに基づいて前記セッションのダウンリンクデータに対応するサービス品質ＩＤを特定し、前記ＵＰＦによって前記サービス品質ＩＤを前記セッションのダウンリンクパケットのヘッダに追加するステップ８０２１４を含む。
【０１８８】
この場合、ＳＭＦは、非構造化データ伝送に利用されるセッションをＵＥに対し確立する際に、ＱｏＳ  ｒｕｌｅをＰＣＦに要求し、非構造化データ伝送へのセッションの利用を指示するセッションタイプ指示情報をＱｏＳ  ｒｕｌｅ要求メッセージに付帯してＰＣＦに送信する。ＰＣＦは、非構造化データ伝送のセッションに対し、完全一致ワイルドカードのストリームフィルタおよびセッションに対応する第３サービス品質ＩＤが含まれるＱｏＳ  ｒｕｌｅを作成する。
【０１８９】
ＳＭＦは、ＱｏＳ  ｒｕｌｅをＵＰＦに送信する。ＵＰＦは、ＱｏＳ  ｒｕｌｅに基づいて、セッションのダウンリンクデータに対応するＱｏＳ  ＩＤを特定し、セッションのダウンリンクパケットのヘッダにＱｏＳ  ＩＤを追加して、ネットワークで非構造化パケットのサービス品質制御が実現される。ここで、ＱｏＳ  ｒｕｌｅのストリームフィルタが完全一致ワイルドカードであるため、ＵＰＦは、当該セッションのすべてのダウンリンクデータに対応するＱｏＳ  ＩＤがすべて第３ＱｏＳ  ＩＤであると特定し、受信した当該セッションのすべてのダウンリンクパケットのヘッダに当該第３ＱｏＳ  ＩＤを追加する。ここで、ＵＰＦは、セッションのダウンリンクパケットのヘッダに第３ＱｏＳ  ＩＤを追加し、後にダウンリンクデータをＡＮに送信することによって、ＡＮは、パケットヘッダの第３ＱｏＳ  ＩＤに基づいて、対応するサービス品質のラジオベアラを選択してダウンリンクデータを伝送することができるため、データのサービス品質が保証される。
【０１９０】
選択可能に、上記ステップ８０２は、前記指示情報に基づいて前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記指示情報に基づいて、前記セッションのダウンリンクデータに対応するサービス品質を特定するステップ８０２２を含む。
【０１９１】
この場合、ＳＭＦは、指示情報をＵＰＦとＡＮに送信する。ＵＰＦは、当該指示情報に基づいてセッションのダウンリンクデータを直接ＡＮに送信することができる。ＡＮは、セッションのダウンリンクデータに対応するサービス品質を特定して、ネットワークで非構造化パケットのサービス品質制御が実現される。
【０１９２】
選択可能に、上記ステップ８０１は、非構造化データ伝送への前記セッションの利用を指示するセッションタイプ指示情報を前記ＳＭＦから受信するステップ８０１４を含む。
【０１９３】
上記ステップ８０２２は、前記セッションタイプ指示情報に基づいて、前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定するステップ８０２２１を含む。
【０１９４】
この場合、ＳＭＦは、非構造化データ伝送に利用されるセッションをＵＥに対し確立する際に、非構造化データ伝送への当該セッションの利用を指示するセッションタイプ指示情報を取得する。ＳＭＦは、セッションタイプ指示情報をＵＰＦとＡＮに送信する。ＵＰＦは、セッションタイプ指示情報に基づいて、セッションが非構造化データ伝送に利用されると特定すると、直接当該セッションのダウンリンクデータをＡＮに送信する。ＡＮでは、非構造化データ伝送に利用されるセッションのタイプに対応するサービス品質のラジオベアラが予め設定されている。ＡＮは、ＵＰＦから送信されたダウンリンクデータを受信し、セッションが非構造化データ伝送に利用されると特定すると、当該セッションに対応するＱｏＳのベアラを取得してダウンリンクデータを伝送し、ネットワークで非構造化パケットのサービス品質制御が実現され、かつデータのサービス品質が保証される。
【０１９５】
本開示の実施例のサービス品質制御方法において、ＵＰＦは、ＳＭＦから送信された指示情報に基づいて、非構造化データ伝送に利用されるセッションのサービス品質を特定することができる。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０１９６】
本開示の一部の実施例において、図９に示すように、ＵＰＦに応用されるサービス品質制御装置を提供する。当該装置は、ＳＭＦから非構造化データ伝送に利用されるセッションをユーザ機器ＵＥに対し確立する際に送信され、前記セッションのサービス品質に関する指示情報を受信する第１受信モジュール９０１と、前記指示情報に基づいて、前記セッションのダウンリンクデータに対応するサービス品質を特定する第２特定モジュール９０２とを含む。
【０１９７】
本開示の実施例のサービス品質制御装置において、ＵＰＦは、ＳＭＦから送信された指示情報に基づいて、非構造化データ伝送に利用されるセッションのサービス品質を特定することができる。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０１９８】
選択可能に、前記第２特定モジュール９０２は、前記指示情報に基づいて、前記セッションのダウンリンクデータに対応するサービス品質ＩＤを特定し、前記セッションのダウンリンクパケットのヘッダに前記サービス品質ＩＤを追加する第１特定サブモジュールを含む。
【０１９９】
選択可能に、前記第１受信モジュール９０１は、前記ＳＭＦから非構造化データ伝送に利用されるセッションをＵＥに対し確立する際に前記セッションに割り当てられたサービス品質ＩＤである第１サービス品質ＩＤを、前記ＳＭＦから受信する第１受信サブモジュールを含む。
前記第１特定サブモジュールは、前記第１サービス品質ＩＤを、前記セッションのダウンリンクデータに対応するサービス品質ＩＤとし、前記セッションのダウンリンクパケットのヘッダに前記第１サービス品質ＩＤを追加する第１特定ユニットを含む。
または、前記第１受信モジュール９０１は、非構造化データ伝送への前記セッションの利用を指示するセッションタイプ指示情報を、前記ＳＭＦから受信する第２受信サブモジュールを含む。
前記第１特定サブモジュールは、前記セッションタイプ指示情報および所定の非構造化データ伝送に利用されるセッションのタイプに対応するサービス品質ＩＤに基づいて、前記セッションに対応する第２サービス品質ＩＤを取得する第１取得ユニットと、前記第２サービス品質ＩＤを前記セッションのダウンリンクデータに対応するサービス品質ＩＤとし、前記セッションのダウンリンクパケットのヘッダに前記第２サービス品質ＩＤを追加する第２特定ユニットとを含む。
または、前記第１受信モジュール９０１は、完全一致ワイルドカードのストリームフィルタおよび前記セッションに対応する第３サービス品質ＩＤが含まれるサービス品質ポリシーを前記ＳＭＦから受信する第３受信サブモジュールを含む。
前記サービス品質ポリシーは、前記ＳＭＦから非構造化データ伝送に利用されるセッションをＵＥに対し確立する際に、前記セッションに関するサービス品質ポリシー要求メッセージをＰＣＦに送信した後に取得され、前記ＰＣＦから前記サービス品質ポリシー要求メッセージに基づいて返信された前記セッションに対応するサービス品質ポリシーである。前記サービス品質ポリシー要求メッセージには、非構造化データ伝送への前記セッションの利用を指示するセッションタイプ指示情報が付帯される。
前記第１特定サブモジュールは、前記サービス品質ポリシーに基づいて前記セッションのダウンリンクデータに対応するサービス品質ＩＤを特定し、前記ＵＰＦによって前記サービス品質ＩＤを前記セッションのダウンリンクパケットのヘッダに追加する第３特定ユニットを含む。
【０２００】
選択可能に、前記第２特定モジュール９０２は、前記指示情報に基づいて前記セッションのダウンリンクデータを直接前記ＡＮに送信する第６送信サブモジュールを含む。前記ＡＮによって、前記ＳＭＦから非構造化データ伝送に利用されるセッションをＵＥに対し確立する際に前記ＡＮに送信した前記指示情報に基づいて、前記セッションのダウンリンクデータに対応するサービス品質を特定する。
【０２０１】
選択可能に、前記第１受信モジュール９０１は、非構造化データ伝送への前記セッションの利用を指示するセッションタイプ指示情報を前記ＳＭＦから受信する第４受信サブモジュールを含む。
前記第６送信サブモジュールは、前記セッションタイプ指示情報に基づいて、前記セッションのダウンリンクデータを直接前記ＡＮに送信する第９送信ユニットを含む。前記ＡＮによって、前記ＳＭＦから非構造化データ伝送に利用されるセッションをＵＥに対し確立する際に前記ＡＮに送信した前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定する。
【０２０２】
本開示の実施例のサービス品質制御装置において、ＵＰＦは、ＳＭＦから送信された指示情報に基づいて、非構造化データ伝送に利用されるセッションのサービス品質を特定することができる。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０２０３】
なお、当該サービス品質制御装置は、上記サービス品質制御方法に対応する装置である。上記方法実施例のすべての実施形態は、すべて当該装置の実施例に適用可能であり、同一または類似な技術効果を奏することもできる。
【０２０４】
本開示の一部の実施例において、図１０に示すように、第２メモリ１０２０と、第２プロセッサ１０００と、第２プロセッサ１０００による制御でデータを送受信する第２トランシーバ１０１０と、バスインタフェースと、第２メモリ１０２０に記憶されて第２プロセッサ１０００で実行可能なコンピュータプログラムを含むＵＰＦを提供する。前記第２プロセッサ１０００は、第２メモリ１０２０からプログラムを読み取ることによって、以下のプロセスを実行する。
ＳＭＦから非構造化データ伝送に利用されるセッションをユーザ機器ＵＥに対し確立する際に送信され、前記セッションのサービス品質に関する指示情報を、第２トランシーバ１０１０を介して受信する。
前記指示情報に基づいて、前記セッションのダウンリンクデータに対応するサービス品質を特定する。
【０２０５】
ここで、図１０において、バスアーキテクチャは、任意数の相互接続するバスとブリッジを含み、具体的に、第２プロセッサ１０００をはじめとする１つ又は複数のプロセッサと第２メモリ１０２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第２トランシーバ１０１０は、複数の部品であってもよく、即ち送信機と受信機を含み、伝送媒体でほかの各種類の装置と通信するユニットとして提供される。第２プロセッサ１０００は、バスアーキテクチャと通常の処理を管理する。第２メモリ１０２０は、第２プロセッサ１０００による操作実行に使用されるデータを記憶できる。
【０２０６】
第２プロセッサ１０００は、さらに、前記指示情報に基づいて、前記セッションのダウンリンクデータに対応するサービス品質ＩＤを特定し、前記セッションのダウンリンクパケットのヘッダに前記サービス品質ＩＤを追加する。
【０２０７】
第２プロセッサ１０００は、さらに、前記ＳＭＦから非構造化データ伝送に利用されるセッションをＵＥに対し確立する際に前記セッションに割り当てられたサービス品質ＩＤである第１サービス品質ＩＤを、前記ＳＭＦから受信する。第２プロセッサ１０００は、さらに、前記第１サービス品質ＩＤを、前記セッションのダウンリンクデータに対応するサービス品質ＩＤとし、前記セッションのダウンリンクパケットのヘッダに前記第１サービス品質ＩＤを追加する。または、第２プロセッサ１０００は、さらに、非構造化データ伝送への前記セッションの利用を指示するセッションタイプ指示情報を、前記ＳＭＦから受信する。第２プロセッサ１０００は、さらに、前記セッションタイプ指示情報および所定の非構造化データ伝送に利用されるセッションのタイプに対応するサービス品質ＩＤに基づいて、前記セッションに対応する第２サービス品質ＩＤを取得する。第２プロセッサ１０００は、さらに、前記第２サービス品質ＩＤを前記セッションのダウンリンクデータに対応するサービス品質ＩＤとし、前記セッションのダウンリンクパケットのヘッダに前記第２サービス品質ＩＤを追加する。または、第２プロセッサ１０００は、さらに、完全一致ワイルドカードのストリームフィルタおよび前記セッションに対応する第３サービス品質ＩＤが含まれるサービス品質ポリシーを前記ＳＭＦから受信する。前記サービス品質ポリシーは、前記ＳＭＦから非構造化データ伝送に利用されるセッションをＵＥに対し確立する際に、前記セッションに関するサービス品質ポリシー要求メッセージをＰＣＦに送信した後に取得され、前記ＰＣＦから前記サービス品質ポリシー要求メッセージに基づいて返信された前記セッションに対応するサービス品質ポリシーである。前記サービス品質ポリシー要求メッセージには、非構造化データ伝送への前記セッションの利用を指示するセッションタイプ指示情報が付帯される。第２プロセッサ１０００は、さらに、前記サービス品質ポリシーに基づいて前記セッションのダウンリンクデータに対応するサービス品質ＩＤを特定し、前記ＵＰＦによって前記サービス品質ＩＤを前記セッションのダウンリンクパケットのヘッダに追加する。
【０２０８】
第２プロセッサ１０００は、さらに、前記指示情報に基づいて前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記指示情報に基づいて、前記セッションのダウンリンクデータに対応するサービス品質を特定する。
【０２０９】
第２プロセッサ１０００は、さらに、非構造化データ伝送への前記セッションの利用を指示するセッションタイプ指示情報を前記ＳＭＦから受信する。第２プロセッサ１０００は、さらに、前記セッションタイプ指示情報に基づいて、前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定する。
【０２１０】
本開示の一部の実施例において、コンピュータプログラムが記憶されているコンピュータ読み取り可能な記憶媒体を提供し、当該プログラムがプロセッサによって実行されると、以下のステップが実現される。
ＳＭＦから非構造化データ伝送に利用されるセッションをユーザ機器ＵＥに対し確立する際に送信され、前記セッションのサービス品質に関する指示情報を受信する。
前記指示情報に基づいて、前記セッションのダウンリンクデータに対応するサービス品質を特定する。
【０２１１】
本開示の一部の実施例において、図１１に示すように、ＵＥに応用されるサービス品質制御方法を提供する。当該方法において、ＳＭＦから非構造化データ伝送に利用されるセッションをユーザ機器ＵＥに対し確立する際に送信され、前記セッションのサービス品質に関する指示情報を受信するステップ１１０１と、前記指示情報に基づいて、前記セッションのアップリンクデータに対応するサービス品質を特定するステップ１１０２とを含む。
【０２１２】
本開示の実施例のサービス品質制御方法において、ＵＥは、ＳＭＦから非構造化データ伝送に利用されるセッションをＵＥに対し確立する際に送信され、セッションのサービス品質に関する指示情報を受信し、指示情報に基づいて、セッションのアップリンクデータに対応するサービス品質を特定することができる。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０２１３】
選択可能に、上記ステップ１１０１は、前記ＳＭＦから非構造化データ伝送に利用されるセッションをＵＥに対し確立する際に前記セッションに割り当てられたサービス品質ＩＤである第１サービス品質ＩＤを、前記ＳＭＦから受信するステップ１１０１１を含む。
【０２１４】
上記ステップ１１０２は、前記第１サービス品質ＩＤを、前記セッションのアップリンクデータに対応するサービス品質ＩＤとするステップ１１０２１を含む。
【０２１５】
この場合、ＳＭＦは、非構造化データ伝送に利用されるセッションをＵＥに対し確立する際に、セッションに対して、対応する第１ＱｏＳ  ＩＤを割り当てる。ＳＭＦは、第１ＱｏＳ  ＩＤをＵＥに送信する。ＵＥは、直接第１ＱｏＳ  ＩＤを、セッションのアップリンクデータに対応するサービス品質ＩＤとすることができるため、ネットワークで非構造化パケットのサービス品質制御が実現される。かつ後にＵＥは、当該第１ＱｏＳ  ＩＤに基づいて対応するサービス品質のラジオベアラを選択してアップリンクデータを伝送することができるため、データのサービス品質が保証される。
【０２１６】
または、上記ステップ１１０１は、非構造化データ伝送への前記セッションの利用を指示するセッションタイプ指示情報を、前記ＳＭＦから受信するステップ１１０１２を含む。
【０２１７】
上記ステップ１１０２は、前記セッションタイプ指示情報および所定の非構造化データ伝送に利用されるセッションのタイプに対応するサービス品質ＩＤに基づいて、前記セッションに対応する第２サービス品質ＩＤを取得するステップ１１０２２と、前記第２サービス品質ＩＤを前記セッションのアップリンクデータに対応するサービス品質ＩＤとするステップ１１０２３とを含む。
【０２１８】
この場合、ＳＭＦは、非構造化データ伝送に利用されるセッションをＵＥに対し確立する際に、非構造化データ伝送への当該セッションの利用を指示するセッションタイプ指示情報を取得し、当該セッションタイプ指示情報をＵＥに送信する。ＵＥでは、当該種類のセッションタイプに対しデフォルトになっているＱｏＳ  ＩＤ、すなわち第２ＱｏＳ  ＩＤが予め設定されている。ＵＥは、セッションタイプ指示情報に基づいてセッションが非構造化データ伝送に利用されると特定すると、セッションに対応する第２ＱｏＳ  ＩＤを取得し、それから第２ＱｏＳ  ＩＤを、セッションのアップリンクデータに対応するサービス品質ＩＤとするため、ネットワークで非構造化パケットのサービス品質制御が実現される。後にＵＥは、当該第２ＱｏＳ  ＩＤに基づいて、対応するサービス品質のラジオベアラを選択してアップリンクデータを伝送することができるため、データのサービス品質が保証される。
【０２１９】
または、上記ステップ１１０１は、完全一致ワイルドカードのストリームフィルタおよび前記セッションに対応する第３サービス品質ＩＤが含まれるサービス品質ポリシーを前記ＳＭＦから受信するステップ１１０１３を含む。前記サービス品質ポリシーは、前記ＳＭＦから非構造化データ伝送に利用されるセッションをＵＥに対し確立する際に、前記セッションに関するサービス品質ポリシー要求メッセージをＰＣＦに送信した後に取得され、前記ＰＣＦから前記サービス品質ポリシー要求メッセージに基づいて返信された前記セッションに対応するサービス品質ポリシーである。前記サービス品質ポリシー要求メッセージには、非構造化データ伝送への前記セッションの利用を指示するセッションタイプ指示情報が付帯される。
【０２２０】
上記ステップ１１０２は、前記サービス品質ポリシーに基づいて前記セッションのアップリンクデータに対応するサービス品質ＩＤを特定するステップ１１０２４を含む。
【０２２１】
この場合、ＳＭＦは、非構造化データ伝送に利用されるセッションをＵＥに対し確立する際に、ＱｏＳ  ｒｕｌｅをＰＣＦに要求し、非構造化データ伝送へのセッションの利用を指示するセッションタイプ指示情報をＱｏＳ  ｒｕｌｅ要求メッセージに付帯してＰＣＦに送信する。ＰＣＦは、非構造化データ伝送のセッションに対し、完全一致ワイルドカードのストリームフィルタおよびセッションに対応する第３サービス品質ＩＤが含まれるＱｏＳ  ｒｕｌｅを確立する。ＳＭＦは、ＱｏＳ  ｒｕｌｅをＵＥに送信する。ＵＥは、ＱｏＳ  ｒｕｌｅに基づいて、セッションのアップリンクデータに対応するＱｏＳ  ＩＤを特定し、ネットワークで非構造化パケットのサービス品質制御が実現される。ここで、ＱｏＳ  ｒｕｌｅのストリームフィルタが完全一致ワイルドカードであるため、ＵＥは、当該セッションのすべてのアップリンクデータに対応するＱｏＳ  ＩＤがすべて第３ＱｏＳ  ＩＤであると特定する。後にＵＥは、当該第３ＱｏＳ  ＩＤに基づいて、対応するサービス品質のラジオベアラを選択してアップリンクデータを伝送することができるため、データのサービス品質が保証される。
【０２２２】
選択可能に、上記ステップ１１０１は、非構造化データ伝送への前記セッションの利用を指示するセッションタイプ指示情報を前記ＳＭＦから受信するステップ１１０１４を含む。
【０２２３】
上記ステップ１１０２は、前記セッションタイプ指示情報および所定の非構造化データ伝送に利用されるセッションのタイプに対応するサービス品質のラジオベアラに基づいて前記セッションのアップリンクデータに対応するサービス品質のラジオベアラを特定するステップ１１０２５を含む。
【０２２４】
この場合、ＳＭＦは、非構造化データ伝送に利用されるセッションをＵＥに対し確立する際に、非構造化データ伝送への当該セッションの利用を指示するセッションタイプ指示情報を取得する。ＳＭＦは、セッションタイプ指示情報をＵＥに送信する。ＵＥでは、非構造化データ伝送に利用されるセッションのタイプに対応するサービス品質のラジオベアラが予め設定されている。ＵＥは、セッションタイプ指示情報に基づいて、セッションが非構造化データ伝送に利用されると特定すると、当該セッションに対応するＱｏＳのベアラを取得してアップリンクデータを伝送し、ネットワークで非構造化パケットのサービス品質制御が実現され、かつデータのサービス品質が保証される。
【０２２５】
本開示の実施例のサービス品質制御方法において、ＵＥは、ＳＭＦから送信された指示情報に基づいて、非構造化データ伝送に利用されるセッションのサービス品質を特定することができる。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０２２６】
本開示の一部の実施例において、図１２に示すように、ＵＥに応用されるサービス品質制御装置を提供する。当該装置は、ＳＭＦから非構造化データ伝送に利用されるセッションをユーザ機器ＵＥに対し確立する際に送信され、前記セッションのサービス品質に関する指示情報を受信する第２受信モジュール１２０１と、前記指示情報に基づいて、前記セッションのアップリンクデータに対応するサービス品質を特定する第３特定モジュール１２０２とを含む。
【０２２７】
本開示の実施例のサービス品質制御装置において、ＵＥは、ＳＭＦから送信された指示情報に基づいて、非構造化データ伝送に利用されるセッションのサービス品質を特定することができる。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０２２８】
選択可能に、前記第２受信モジュール１２０１は、前記ＳＭＦから非構造化データ伝送に利用されるセッションをＵＥに対し確立する際に前記セッションに割り当てられたサービス品質ＩＤである第１サービス品質ＩＤを、前記ＳＭＦから受信する第５受信サブモジュールを含む。
前記第３特定モジュール１２０２は、前記第１サービス品質ＩＤを、前記セッションのアップリンクデータに対応するサービス品質ＩＤとする第２特定サブモジュールを含む。
または、前記第２受信モジュール１２０１は、非構造化データ伝送への前記セッションの利用を指示するセッションタイプ指示情報を、前記ＳＭＦから受信する第６受信サブモジュールを含む。
前記第３特定モジュール１２０２は、前記セッションタイプ指示情報および所定の非構造化データ伝送に利用されるセッションのタイプに対応するサービス品質ＩＤに基づいて、前記セッションに対応する第２サービス品質ＩＤを取得第４取得サブモジュールと、前記第２サービス品質ＩＤを前記セッションのアップリンクデータに対応するサービス品質ＩＤとする第３特定サブモジュールとを含む。
または、前記第２受信モジュール１２０１は、完全一致ワイルドカードのストリームフィルタおよび前記セッションに対応する第３サービス品質ＩＤが含まれるサービス品質ポリシーを前記ＳＭＦから受信する第７受信サブモジュールを含む。前記サービス品質ポリシーは、前記ＳＭＦから非構造化データ伝送に利用されるセッションをＵＥに対し確立する際に、前記セッションに関するサービス品質ポリシー要求メッセージをＰＣＦに送信した後に取得され、前記ＰＣＦから前記サービス品質ポリシー要求メッセージに基づいて返信された前記セッションに対応するサービス品質ポリシーである。前記サービス品質ポリシー要求メッセージには、非構造化データ伝送への前記セッションの利用を指示するセッションタイプ指示情報が付帯される。
前記第３特定モジュール１２０２は、前記サービス品質ポリシーに基づいて前記セッションのアップリンクデータに対応するサービス品質ＩＤを特定する第４特定サブモジュールを含む。
【０２２９】
選択可能に、前記第２受信モジュール１２０１は、非構造化データ伝送への前記セッションの利用を指示するセッションタイプ指示情報を前記ＳＭＦから受信する第８受信サブモジュールを含む。
前記第３特定モジュール１２０２は、前記セッションタイプ指示情報および所定の非構造化データ伝送に利用されるセッションのタイプに対応するサービス品質のラジオベアラに基づいて前記セッションのアップリンクデータに対応するサービス品質のラジオベアラを特定する第５特定サブモジュールを含む。
【０２３０】
本開示の実施例のサービス品質制御装置において、ＵＥは、ＳＭＦから送信された指示情報に基づいて、非構造化データ伝送に利用されるセッションのサービス品質を特定することができる。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０２３１】
なお、当該サービス品質制御装置は、上記サービス品質制御方法に対応する装置である。上記方法実施例のすべての実施形態は、すべて当該装置の実施例に適用可能であり、同一または類似な技術効果を奏することもできる。
【０２３２】
本開示の一部の実施例において、図１３に示すように、第３メモリ１３２０と、第３プロセッサ１３００と、第３プロセッサ１３００による制御でデータを送受信する第３トランシーバ１３１０と、ユーザインタフェース１３３０と、バスインタフェースと、第３メモリ１３２０に記憶されて第３プロセッサ１３００で実行可能なコンピュータプログラムを含むＵＥを提供する。前記第３プロセッサ１３００は、第３メモリ１３２０からプログラムを読み取ることによって、以下のプロセスを実行する。
ＳＭＦから非構造化データ伝送に利用されるセッションをユーザ機器ＵＥに対し確立する際に送信され、前記セッションのサービス品質に関する指示情報を、第３トランシーバ１３１０を介して受信する。
前記指示情報に基づいて、前記セッションのアップリンクデータに対応するサービス品質を特定する。
【０２３３】
ここで、図１３において、バスアーキテクチャは、任意数の相互接続するバスとブリッジを含み、具体的に、第３プロセッサ１３００をはじめとする１つ又は複数のプロセッサと第３メモリ１３２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第３トランシーバ１３１０は、複数の部品であってもよく、即ち送信機と受信機を含み、伝送媒体でほかの各種類の装置と通信するユニットとして提供される。ユーザ端末によっては、ユーザインタフェース１３３０は、内部接続や外部接続する機器のインタフェースであってもよい。接続する機器は、キーパッド、ディスプレイ、スピーカ、マイクロフォン、ジョイスティックなどを含むが、それらに限られない。
【０２３４】
第３プロセッサ１３００は、バスアーキテクチャと通常の処理を管理する。第３メモリ１３２０は、第３プロセッサ１３００による操作実行に使用されるデータを記憶できる。
【０２３５】
第３プロセッサ１３００は、さらに、前記ＳＭＦから非構造化データ伝送に利用されるセッションをＵＥに対し確立する際に前記セッションに割り当てられたサービス品質ＩＤである第１サービス品質ＩＤを、前記ＳＭＦから受信する。第３プロセッサ１３００は、さらに、前記第１サービス品質ＩＤを、前記セッションのアップリンクデータに対応するサービス品質ＩＤとする。または、第３プロセッサ１３００は、さらに、非構造化データ伝送への前記セッションの利用を指示するセッションタイプ指示情報を、前記ＳＭＦから受信する。第３プロセッサ１３００は、さらに、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのアップリンクデータに対応するサービス品質ＩＤとする。または、第３プロセッサ１３００は、さらに、完全一致ワイルドカードのストリームフィルタおよび前記セッションに対応する第３サービス品質ＩＤが含まれるサービス品質ポリシーを前記ＳＭＦから受信する。前記サービス品質ポリシーは、前記ＳＭＦから非構造化データ伝送に利用されるセッションをＵＥに対し確立する際に、前記セッションに関するサービス品質ポリシー要求メッセージをＰＣＦに送信した後に取得され、前記ＰＣＦから前記サービス品質ポリシー要求メッセージに基づいて返信された前記セッションに対応するサービス品質ポリシーである。前記サービス品質ポリシー要求メッセージには、非構造化データ伝送への前記セッションの利用を指示するセッションタイプ指示情報が付帯される。第３プロセッサ１３００は、さらに、前記サービス品質ポリシーに基づいて前記セッションのアップリンクデータに対応するサービス品質ＩＤを特定する。
【０２３６】
第３プロセッサ１３００は、さらに、非構造化データ伝送への前記セッションの利用を指示するセッションタイプ指示情報を前記ＳＭＦから受信する。第３プロセッサ１３００は、さらに、前記セッションタイプ指示情報および所定の非構造化データ伝送に利用されるセッションのタイプに対応するサービス品質のラジオベアラに基づいて前記セッションのアップリンクデータに対応するサービス品質のラジオベアラを特定する。
【０２３７】
本開示の一部の実施例は、コンピュータプログラムが記憶されているコンピュータ読み取り可能な記憶媒体を提供し、当該プログラムがプロセッサによって実行されると、以下のステップが実現される。
ＳＭＦから非構造化データ伝送に利用されるセッションをユーザ機器ＵＥに対し確立する際に送信され、前記セッションのサービス品質に関する指示情報を受信する。
前記指示情報に基づいて、前記セッションのアップリンクデータに対応するサービス品質を特定する。
【０２３８】
本開示の一部の実施例において、図１４に示すように、ＰＣＦに応用されるサービス品質制御方法を提供する。当該方法において、
ＳＭＦから非構造化データ伝送に利用されるセッションをユーザ機器ＵＥに対し確立する際に送信され、非構造化データ伝送への前記セッションの利用を指示するセッションタイプ指示情報が付帯され、前記セッションに関するサービス品質ポリシー要求メッセージを受信するステップ１４０１と、
前記サービス品質ポリシー要求メッセージに基づいて、完全一致ワイルドカードのストリームフィルタおよび前記セッションに対応する第３サービス品質ＩＤが含まれ、前記セッションに対応するサービス品質ポリシーを特定するステップ１４０２と、
前記セッションに対応するサービス品質ポリシーを前記ＳＭＦに返信するステップ１４０３と、を含む。
【０２３９】
本開示の実施例のサービス品質制御方法において、ＰＣＦは、非構造化データ伝送に利用されるセッションのサービス品質ポリシーをＳＭＦに提供する。ＳＭＦは、サービス品質ポリシーを目標ノードに送信する。目標ノードは、ＳＭＦから送信されたサービス品質ポリシーに基づいて、非構造化データ伝送に利用されるセッションのサービス品質を特定することができる。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０２４０】
本開示の一部の実施例において、図１５に示すように、ＰＣＦに応用されるサービス品質制御装置を提供する。当該装置は、
ＳＭＦから非構造化データ伝送に利用されるセッションをユーザ機器ＵＥに対し確立する際に送信され、非構造化データ伝送への前記セッションの利用を指示するセッションタイプ指示情報が付帯され、前記セッションに関するサービス品質ポリシー要求メッセージを受信する第３受信モジュール１５０１と、
前記サービス品質ポリシー要求メッセージに基づいて、完全一致ワイルドカードのストリームフィルタおよび前記セッションに対応する第３サービス品質ＩＤが含まれ、前記セッションに対応するサービス品質ポリシーを特定する第４特定モジュール１５０２と、
前記セッションに対応するサービス品質ポリシーを前記ＳＭＦに返信する返信モジュール１５０３と、を含む。
【０２４１】
本開示の実施例のサービス品質制御装置において、ＰＣＦは、非構造化データ伝送に利用されるセッションのサービス品質ポリシーをＳＭＦに提供する。ＳＭＦは、サービス品質ポリシーを目標ノードに送信する。目標ノードは、ＳＭＦから送信されたサービス品質ポリシーに基づいて、非構造化データ伝送に利用されるセッションのサービス品質を特定することができる。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０２４２】
なお、当該サービス品質制御装置は、上記サービス品質制御方法に対応する装置である。上記方法実施例のすべての実施形態は、すべて当該装置の実施例に適用可能であり、同一または類似な技術効果を奏することもできる。
【０２４３】
本開示の一部の実施例において、図１６に示すように、第４メモリ１６２０と、第４プロセッサ１６００と、第４プロセッサ１６００による制御でデータを送受信する第４トランシーバ１６１０と、バスインタフェースと、第４メモリ１６２０に記憶されて第４プロセッサ１６００で実行可能なコンピュータプログラムを含むＰＣＦを提供する。前記第４プロセッサ１６００は、第４メモリ１６２０からプログラムを読み取ることによって、以下のプロセスを実行する。
ＳＭＦから非構造化データ伝送に利用されるセッションをユーザ機器ＵＥに対し確立する際に送信され、非構造化データ伝送への前記セッションの利用を指示するセッションタイプ指示情報が付帯され、前記セッションに関するサービス品質ポリシー要求メッセージを、第４トランシーバ１６１０を介して受信する。
前記サービス品質ポリシー要求メッセージに基づいて、完全一致ワイルドカードのストリームフィルタおよび前記セッションに対応する第３サービス品質ＩＤが含まれ、前記セッションに対応するサービス品質ポリシーを特定する。
前記セッションに対応するサービス品質ポリシーを、第４トランシーバ１６１０を介して前記ＳＭＦに返信する。
【０２４４】
ここで、図１６において、バスアーキテクチャは、任意数の相互接続するバスとブリッジを含み、具体的に、第４プロセッサ１６００をはじめとする１つ又は複数のプロセッサと第４メモリ１６２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第４トランシーバ１６１０は、複数の部品であってもよく、即ち送信機と受信機を含み、伝送媒体でほかの各種類の装置と通信するユニットとして提供される。第４プロセッサ１６００は、バスアーキテクチャと通常の処理を管理する。第４メモリ１６２０は、第４プロセッサ１６００による操作実行に使用されるデータを記憶できる。
【０２４５】
本開示の一部の実施例において、コンピュータプログラムが記憶されているコンピュータ読み取り可能な記憶媒体を提供し、当該プログラムがプロセッサによって実行されると、以下のステップが実現される。
ＳＭＦから非構造化データ伝送に利用されるセッションをユーザ機器ＵＥに対し確立する際に送信され、非構造化データ伝送への前記セッションの利用を指示するセッションタイプ指示情報が付帯され、前記セッションに関するサービス品質ポリシー要求メッセージを受信する。
前記サービス品質ポリシー要求メッセージに基づいて、完全一致ワイルドカードのストリームフィルタおよび前記セッションに対応する第３サービス品質ＩＤが含まれ、前記セッションに対応するサービス品質ポリシーを特定する。
前記セッションに対応するサービス品質ポリシーを前記ＳＭＦに返信する。
【０２４６】
本開示の一部の実施例において、図１７に示すように、ＡＮに応用されるサービス品質制御方法を提供する。当該方法において、
ＳＭＦから非構造化データ伝送に利用されるセッションをユーザ機器ＵＥに対し確立する際に前記ＡＮに送信され、前記セッションのサービス品質に関する指示情報を受信するステップ１７０１と、
前記ＳＭＦから非構造化データ伝送に利用されるセッションをＵＥに対し確立する際に前記ＵＰＦに送信された前記指示情報に基づいてＵＰＦから直接的に送信された前記セッションのダウンリンクデータを受信するステップ１７０２と、
前記指示情報に基づいて前記セッションのダウンリンクデータに対応するサービス品質を特定するステップ１７０３とを含む。
【０２４７】
本開示の実施例のサービス品質制御方法において、ＳＭＦから指示情報をＵＰＦとＡＮに送信し、ＵＰＦは、パケットヘッダにサービス品質ＩＤを付与する必要がなく、当該指示情報に基づいてセッションのダウンリンクデータを直接ＡＮに送信することができ、ＡＮによって、セッションのダウンリンクデータに対応するサービス品質を特定することによって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０２４８】
選択可能に、前記ステップ１７０１は、前記ＡＮに送信され、非構造化データ伝送への前記セッションの利用を指示するセッションタイプ指示情報を前記ＳＭＦから受信するステップ１７０１１を含む。
前記ステップ１７０３は、前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定するステップ１７０３１を含む。
【０２４９】
この場合、ＳＭＦは、非構造化データ伝送に利用されるセッションをＵＥに対し確立する際に、非構造化データ伝送への当該セッションの利用を指示するセッションタイプ指示情報を取得する。ＳＭＦは、セッションタイプ指示情報をＵＰＦとＡＮに送信する。ＵＰＦは、セッションタイプ指示情報に基づいて、セッションが非構造化データ伝送に利用されると特定すると、パケットヘッダにサービス品質ＩＤを付与する必要がなく、直接当該セッションのダウンリンクデータをＡＮに送信する。ＡＮでは、非構造化データ伝送に利用されるセッションのタイプに対応するサービス品質のラジオベアラが予め設定されている。ＡＮは、ＵＰＦから送信されたダウンリンクデータを受信し、かつセッションが非構造化データ伝送に利用されると特定すると、当該セッションに対応するＱｏＳのベアラを取得してダウンリンクデータを伝送する。よって、ネットワークで非構造化パケットのサービス品質制御が実現され、かつデータのサービス品質が保証される。
【０２５０】
本開示の実施例のサービス品質制御方法において、ＳＭＦは、指示情報をＵＰＦとＡＮに送信する。ＵＰＦは、パケットヘッダにサービス品質ＩＤを付与する必要がなく、当該指示情報に基づいてセッションのダウンリンクデータを直接ＡＮに送信することができ、ＡＮによって、セッションのダウンリンクデータに対応するサービス品質を特定する。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０２５１】
本開示の一部の実施例において、図１８に示すように、ＡＮに応用されるサービス品質制御装置を提供する。当該装置は、
ＳＭＦから非構造化データ伝送に利用されるセッションをユーザ機器ＵＥに対し確立する際に前記ＡＮに送信され、前記セッションのサービス品質に関する指示情報を受信する第４受信モジュール１８０１と、
前記ＳＭＦから非構造化データ伝送に利用されるセッションをＵＥに対し確立する際に前記ＵＰＦに送信された前記指示情報に基づいてＵＰＦから直接的に送信された前記セッションのダウンリンクデータを受信する第５受信モジュール１８０２と、
前記指示情報に基づいて前記セッションのダウンリンクデータに対応するサービス品質を特定する第５特定モジュール１８０３と、を含む。
【０２５２】
本開示の実施例のサービス品質制御装置において、ＳＭＦは、指示情報をＵＰＦとＡＮに送信する。ＵＰＦは、パケットヘッダにサービス品質ＩＤを付与する必要がなく、当該指示情報に基づいてセッションのダウンリンクデータを直接ＡＮに送信することができる。ＡＮによって、セッションのダウンリンクデータに対応するサービス品質を特定する。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０２５３】
選択可能に、前記第４受信モジュール１８０１は、前記ＡＮに送信され、非構造化データ伝送への前記セッションの利用を指示するセッションタイプ指示情報を前記ＳＭＦから受信する第９受信サブモジュールを含む。
前記第５特定モジュール１８０３は、前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定する第６特定サブモジュールを含む。
【０２５４】
本開示の実施例のサービス品質制御装置において、ＳＭＦは、指示情報をＵＰＦとＡＮに送信する。ＵＰＦは、パケットヘッダにサービス品質ＩＤを付与する必要がなく、当該指示情報に基づいてセッションのダウンリンクデータを直接ＡＮに送信することができる。ＡＮによって、セッションのダウンリンクデータに対応するサービス品質を特定する。よって、ネットワークで非構造化パケットのサービス品質制御が実現され、非構造化データ伝送のサービス品質が保証され、ネットワーク性能が向上する。ネットワークで非構造化パケットのサービス品質制御ができないという従来技術の技術課題を解決した。
【０２５５】
なお、当該サービス品質制御装置は、上記サービス品質制御方法に対応する装置である。上記方法実施例のすべての実施形態は、すべて当該装置の実施例に適用可能であり、同一または類似な技術効果を奏することもできる。
【０２５６】
本開示の一部の実施例において、図１９に示すように、第５メモリ１９２０と、第５プロセッサ１９００と、第５プロセッサ１９００による制御でデータを送受信する第５トランシーバ１９１０と、バスインタフェースと、第５メモリ１９２０に記憶されて第５プロセッサ１９００で実行可能なコンピュータプログラムを含むＳＭＦを提供する。前記第５プロセッサ１９００は、第５メモリ１９２０からプログラムを読み取ることによって、以下のプロセスを実行する。
ＳＭＦから非構造化データ伝送に利用されるセッションをユーザ機器ＵＥに対し確立する際に前記ＡＮに送信され、前記セッションのサービス品質に関する指示情報を、第５トランシーバ１９１０を介して受信する。
前記ＳＭＦから非構造化データ伝送に利用されるセッションをＵＥに対し確立する際に前記ＵＰＦに送信された前記指示情報に基づいてＵＰＦから直接的に送信された前記セッションのダウンリンクデータを、第５トランシーバ１９１０を介して受信する。
前記指示情報に基づいて前記セッションのダウンリンクデータに対応するサービス品質を特定する。
【０２５７】
ここで、図１９において、バスアーキテクチャは、任意数の相互接続するバスとブリッジを含み、具体的に、第５プロセッサ１９００をはじめとする１つ又は複数のプロセッサと第５メモリ１９２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第５トランシーバ１９１０は、複数の部品であってもよく、即ち送信機と受信機を含み、伝送媒体でほかの各種類の装置と通信するユニットとして提供される。第５プロセッサ１９００は、バスアーキテクチャと通常の処理を管理する。第５メモリ１９２０は、第５プロセッサ１９００による操作実行に使用されるデータを記憶できる。
【０２５８】
第５プロセッサ１９００は、さらに、前記ＡＮに送信され、非構造化データ伝送への前記セッションの利用を指示するセッションタイプ指示情報を前記ＳＭＦから受信する。第５プロセッサ１９００は、さらに、前記セッションタイプ指示情報および所定の非構造化データ伝送に利用されるセッションのタイプに対応するサービス品質のラジオベアラに基づいて前記セッションのダウンリンクデータに対応するサービス品質のラジオベアラを特定する。
【０２５９】
本開示の一部の実施例において、コンピュータプログラムが記憶されているコンピュータ読み取り可能な記憶媒体を提供し、当該プログラムがプロセッサによって実行されると、以下のステップが実現される。
ＳＭＦから非構造化データ伝送に利用されるセッションをユーザ機器ＵＥに対し確立する際に前記ＡＮに送信され、前記セッションのサービス品質に関する指示情報を受信する。
前記ＳＭＦから非構造化データ伝送に利用されるセッションをＵＥに対し確立する際に前記ＵＰＦに送信された前記指示情報に基づいてＵＰＦから直接的に送信された前記セッションのダウンリンクデータを受信する。
前記指示情報に基づいて前記セッションのダウンリンクデータに対応するサービス品質を特定する。
【０２６０】
本開示の各実施例において、上記各プロセスの番号の大きさは、実行順の前後を意味するのではなく、各プロセスの実行順は、その機能および内在的な論理によって確定されるものであり、本開示の実施例の実施プロセスに対し一切限定を構成しないと理解すべきである。
【０２６１】
以上記載されたのは、本開示の好適な実施形態である。当業者は、本開示に記載されている原理を逸脱せずに様々な改良や修飾をすることもできる。これらの改良や修飾も、本開示の保護範囲として見なされるべきである。
【図１】
2020511083.tif 000003
【図２】
2020511083.tif 000004
【図３】
2020511083.tif 000005
【図４】
2020511083.tif 000006
【図５】
2020511083.tif 000007
【図６】
2020511083.tif 000008
【図７】
2020511083.tif 000009
【図８】
2020511083.tif 000010
【図９】
2020511083.tif 000011
【図１０】
2020511083.tif 000012
【図１１】
2020511083.tif 000013
【図１２】
2020511083.tif 000014
【図１３】
2020511083.tif 000015
【図１４】
2020511083.tif 000016
【図１５】
2020511083.tif 000017
【図１６】
2020511083.tif 000018
【図１７】
2020511083.tif 000019
【図１８】
2020511083.tif 000020
【図１９】
2020511083.tif 000021
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
ＳＭＦ（Ｓｅｓｓｉｏｎ  Ｍａｎａｇｅｍｅｎｔ  Ｆｕｎｃｔｉｏｎ）に応用されるサービス品質制御方法において、
非構造化データ伝送に利用されるセッションをユーザ機器ＵＥに対し確立する際に、前記セッションのサービス品質に関する指示情報を特定することと、
前記指示情報を目標ノードに送信して、前記目標ノードによって、前記指示情報に基づいて前記セッションに対応するサービス品質を特定することと、
を含むサービス品質制御方法。
【請求項２】
前記指示情報を目標ノードに送信して、前記目標ノードによって、前記指示情報に基づいて前記セッションに対応するサービス品質を特定することは、
前記指示情報をＵＰＦ（Ｕｓｅｒ  Ｐｌａｎｅ  Ｆｕｎｃｔｉｏｎ）に送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加すること、
および／または、
前記指示情報を前記ＵＥに送信し、前記ＵＥによって、前記セッションのアップリンクデータに対応するサービス品質ＩＤを前記指示情報に基づいて特定すること、
を含む請求項１に記載の方法。
【請求項３】
非構造化データ伝送に利用されるセッションをユーザ機器ＵＥに対し確立する際に、前記セッションのサービス品質に関する指示情報を特定することは、
非構造化データ伝送に利用されるセッションをＵＥに対し確立する際に、前記セッションに対し、対応する第１サービス品質ＩＤを割り当てることを含み、
前記指示情報をＵＰＦに送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加することは、
前記第１サービス品質ＩＤをＵＰＦに送信し、前記ＵＰＦによって、前記第１サービス品質ＩＤを前記セッションのダウンリンクデータに対応するサービス品質ＩＤとし、前記第１サービス品質ＩＤを前記セッションのダウンリンクパケットのヘッダに前記ＵＰＦによって追加することを含み、
前記指示情報を前記ＵＥに送信し、前記ＵＥによって、前記セッションのアップリンクデータに対応するサービス品質ＩＤを前記指示情報に基づいて特定することは、
前記第１サービス品質ＩＤを前記ＵＥに送信し、前記ＵＥによって、前記第１サービス品質ＩＤを前記セッションのアップリンクデータに対応するサービス品質ＩＤとすることを含む請求項２に記載の方法。
【請求項４】
非構造化データ伝送に利用されるセッションをユーザ機器ＵＥに対し確立する際に、前記セッションのサービス品質に関する指示情報を特定することは、
非構造化データ伝送に利用されるセッションをＵＥに対し確立する際に、非構造化データ伝送への前記セッションの利用を指示するセッションタイプ指示情報を取得することを含み、
前記指示情報をＵＰＦに送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加することは、
前記セッションタイプ指示情報をＵＰＦに送信し、前記ＵＰＦによって、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのダウンリンクデータに対応するサービス品質ＩＤとし、前記セッションのダウンリンクパケットのヘッダに前記第２サービス品質ＩＤを前記ＵＰＦによって追加することを含み、
前記指示情報を前記ＵＥに送信し、前記ＵＥによって、前記セッションのアップリンクデータに対応するサービス品質ＩＤを前記指示情報に基づいて特定することは、
前記セッションタイプ指示情報を前記ＵＥに送信し、前記ＵＥによって、前記セッションタイプ指示情報および所定の非構造化データ伝送に利用されるセッションのタイプに対応するサービス品質ＩＤに基づいて、前記セッションに対応する第２サービス品質ＩＤを取得し、前記第２サービス品質ＩＤを前記セッションのアップリンクデータに対応するサービス品質ＩＤとすることを含む請求項２に記載の方法。
【請求項５】
非構造化データ伝送に利用されるセッションをユーザ機器ＵＥに対し確立する際に、前記セッションのサービス品質に関する指示情報を特定することは、
非構造化データ伝送に利用されるセッションをＵＥに対し確立する際に、非構造化データ伝送への前記セッションの利用を指示するセッションタイプ指示情報が付帯され、前記セッションに関するサービス品質ポリシー要求メッセージをＰＣＦ（Ｐｏｌｉｃｙ  Ｃｏｎｔｒｏｌ  Ｆｕｎｃｔｉｏｎ）に送信することと、
完全一致ワイルドカードのストリームフィルタおよび前記セッションに対応する第３サービス品質ＩＤが含まれ、前記ＰＣＦから前記サービス品質ポリシー要求メッセージに基づいて返信された前記セッションに関するサービス品質ポリシーを取得することと、を含み、
前記指示情報をＵＰＦに送信し、前記セッションのダウンリンクデータに対応するサービス品質ＩＤを前記ＵＰＦによって前記指示情報に基づいて特定し、前記サービス品質ＩＤを前記セッションのダウンリンクパケットのヘッダに前記ＵＰＦによって追加することは、
前記サービス品質ポリシーをＵＰＦに送信し、前記ＵＰＦによって、前記サービス品質ポリシーに基づいて前記セッションのダウンリンクデータに対応するサービス品質ＩＤを特定し、前記サービス品質ＩＤを前記セッションのダウンリンクパケットのヘッダに前記ＵＰＦによって追加することを含み、
前記指示情報を前記ＵＥに送信し、前記ＵＥによって、前記セッションのアップリンクデータに対応するサービス品質ＩＤを前記指示情報に基づいて特定することは、
前記サービス品質ポリシーを前記ＵＥに送信し、前記ＵＥによって、前記サービス品質ポリシーに基づいて前記セッションのアップリンクデータに対応するサービス品質ＩＤを特定することを含む請求項２に記載の方法。
【請求項６】
前記サービス品質ＩＤは、
サービス品質データストリームＩＤおよびサービス品質等級ＩＤのうちの少なくとも一つである請求項２〜５のいずれか一項に記載の方法。
【請求項７】
ＳＭＦに応用されるサービス品質制御装置において、
非構造化データ伝送に利用されるセッションをユーザ機器ＵＥに対し確立する際に、前記セッションのサービス品質に関する指示情報を特定する第１特定モジュールと、
前記指示情報を目標ノードに送信して、前記目標ノードによって、前記指示情報に基づいて前記セッションに対応するサービス品質を特定する第１送信モジュールと、
を含むサービス品質制御装置。
【請求項８】
ＵＰＦに応用されるサービス品質制御方法において、
ＳＭＦから非構造化データ伝送に利用されるセッションをユーザ機器ＵＥに対し確立する際に送信され、前記セッションのサービス品質に関する指示情報を受信することと、
前記指示情報に基づいて、前記セッションのダウンリンクデータに対応するサービス品質を特定することと、
を含むサービス品質制御方法。
【請求項９】
前記指示情報に基づいて、前記セッションのダウンリンクデータに対応するサービス品質を特定することは、
前記指示情報に基づいて、前記セッションのダウンリンクデータに対応するサービス品質ＩＤを特定し、前記セッションのダウンリンクパケットのヘッダに前記サービス品質ＩＤを追加することを含む請求項８に記載の方法。
【請求項１０】
ＳＭＦから非構造化データ伝送に利用されるセッションをユーザ機器ＵＥに対し確立する際に送信され、前記セッションのサービス品質に関する指示情報を受信することは、
前記ＳＭＦから非構造化データ伝送に利用されるセッションをＵＥに対し確立する際に前記セッションに割り当てられたサービス品質ＩＤである第１サービス品質ＩＤを、前記ＳＭＦから受信することを含み、
前記指示情報に基づいて、前記セッションのダウンリンクデータに対応するサービス品質ＩＤを特定し、前記セッションのダウンリンクパケットのヘッダに前記サービス品質ＩＤを追加することは、
前記第１サービス品質ＩＤを、前記セッションのダウンリンクデータに対応するサービス品質ＩＤとし、前記セッションのダウンリンクパケットのヘッダに前記第１サービス品質ＩＤを追加することを含み、
または、
ＳＭＦから非構造化データ伝送に利用されるセッションをユーザ機器ＵＥに対し確立する際に送信され、前記セッションのサービス品質に関する指示情報を受信することは、
非構造化データ伝送への前記セッションの利用を指示するセッションタイプ指示情報を、前記ＳＭＦから受信することを含み、
前記指示情報に基づいて、前記セッションのダウンリンクデータに対応するサービス品質ＩＤを特定し、前記セッションのダウンリンクパケットのヘッダに前記サービス品質ＩＤを追加することは、
前記セッションタイプ指示情報および所定の非構造化データ伝送に利用されるセッションのタイプに対応するサービス品質ＩＤに基づいて、前記セッションに対応する第２サービス品質ＩＤを取得することと、
前記第２サービス品質ＩＤを前記セッションのダウンリンクデータに対応するサービス品質ＩＤとし、前記セッションのダウンリンクパケットのヘッダに前記第２サービス品質ＩＤを追加することと、を含み、
または、
ＳＭＦから非構造化データ伝送に利用されるセッションをユーザ機器ＵＥに対し確立する際に送信され、前記セッションのサービス品質に関する指示情報を受信することは、
完全一致ワイルドカードのストリームフィルタおよび前記セッションに対応する第３サービス品質ＩＤが含まれるサービス品質ポリシーを前記ＳＭＦから受信することを含み、
ここで、前記サービス品質ポリシーは、
前記ＳＭＦから非構造化データ伝送に利用されるセッションをＵＥに対し確立する際に、前記セッションに関するサービス品質ポリシー要求メッセージをＰＣＦに送信した後に取得され、前記ＰＣＦから前記サービス品質ポリシー要求メッセージに基づいて返信された前記セッションに対応するサービス品質ポリシーであり、
前記サービス品質ポリシー要求メッセージには、非構造化データ伝送への前記セッションの利用を指示するセッションタイプ指示情報が付帯され、
前記指示情報に基づいて、前記セッションのダウンリンクデータに対応するサービス品質ＩＤを特定し、前記セッションのダウンリンクパケットのヘッダに前記サービス品質ＩＤを追加することは、
前記サービス品質ポリシーに基づいて前記セッションのダウンリンクデータに対応するサービス品質ＩＤを特定し、前記ＵＰＦによって前記サービス品質ＩＤを前記セッションのダウンリンクパケットのヘッダに追加することを含む請求項９に記載の方法。
【請求項１１】
前記指示情報に基づいて、前記セッションのダウンリンクデータに対応するサービス品質を特定することは、
前記指示情報に基づいて前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記指示情報に基づいて、前記セッションのダウンリンクデータに対応するサービス品質を特定することを含む請求項８に記載の方法。
【請求項１２】
ＳＭＦから非構造化データ伝送に利用されるセッションをユーザ機器ＵＥに対し確立する際に送信され、前記セッションのサービス品質に関する指示情報を受信することは、
非構造化データ伝送への前記セッションの利用を指示するセッションタイプ指示情報を前記ＳＭＦから受信することを含み、
前記指示情報に基づいて前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記指示情報に基づいて前記セッションのダウンリンクデータに対応するサービス品質を特定することは、
前記セッションタイプ指示情報に基づいて、前記セッションのダウンリンクデータを直接前記ＡＮに送信し、前記ＡＮによって、前記ＳＭＦから非構造化データ伝送に利用されるセッションをＵＥに対し確立する際に前記ＡＮに送信した前記セッションタイプ指示情報および所定の非構造化データ伝送に利用されるセッションのタイプに対応するサービス品質のラジオベアラに基づいて、前記セッションのダウンリンクデータに対応するサービス品質のラジオベアラを特定することを含む請求項１１に記載の方法。
【請求項１３】
ＵＰＦに応用されるサービス品質制御装置において、
ＳＭＦから非構造化データ伝送に利用されるセッションをユーザ機器ＵＥに対し確立する際に送信され、前記セッションのサービス品質に関する指示情報を受信する第１受信モジュールと、
前記指示情報に基づいて、前記セッションのダウンリンクデータに対応するサービス品質を特定する第２特定モジュールと、
を含むサービス品質制御装置。
【請求項１４】
ＰＣＦに応用されるサービス品質制御方法において、
ＳＭＦから非構造化データ伝送に利用されるセッションをユーザ機器ＵＥに対し確立する際に送信され、非構造化データ伝送への前記セッションの利用を指示するセッションタイプ指示情報が付帯され、前記セッションに関するサービス品質ポリシー要求メッセージを受信することと、
前記サービス品質ポリシー要求メッセージに基づいて、完全一致ワイルドカードのストリームフィルタおよび前記セッションに対応する第３サービス品質ＩＤが含まれ、前記セッションに対応するサービス品質ポリシーを特定することと、
前記セッションに対応するサービス品質ポリシーを前記ＳＭＦに返信することと、
を含むサービス品質制御方法。
【請求項１５】
ＰＣＦに応用されるサービス品質制御装置において、
ＳＭＦから非構造化データ伝送に利用されるセッションをユーザ機器ＵＥに対し確立する際に送信され、非構造化データ伝送への前記セッションの利用を指示するセッションタイプ指示情報が付帯され、前記セッションに関するサービス品質ポリシー要求メッセージを受信する第３受信モジュールと、
前記サービス品質ポリシー要求メッセージに基づいて、完全一致ワイルドカードのストリームフィルタおよび前記セッションに対応する第３サービス品質ＩＤが含まれ、前記セッションに対応するサービス品質ポリシーを特定する第４特定モジュールと、
前記セッションに対応するサービス品質ポリシーを前記ＳＭＦに返信する返信モジュールと、
を含むサービス品質制御装置。
【国際調査報告】
2020511083.tif 000022
2020511083.tif 000023
2020511083.tif 000024
2020511083.tif 000025